(57)【要約】【課題】簡素な制御で自動旋回を行うこと。【解決手段】実施形態に係る作業車両は、走行車輪と、ステアリング装置と、モータと、位置取得装置と、制御装置とを備える。走行車輪は、走行車体に取り付けられる。ステアリング装置は、走行車輪の操舵量を調整する。モータは、ステアリング装置を駆動する。位置取得装置は、測位手段から測位情報を受け取り、受け取った測位情報に基づいて機体の現在の位置情報を取得する。制御装置は、モータを制御する。また、制御装置は、機体の旋回中において、位置情報に関わらず操舵量が所定の値になるようモータを制御して実行する第１旋回動作モードと、位置情報に基づいて、旋回走行経路上の所望の位置に機体が到達するようモータを制御して実行する第２旋回動作モードとを有する。【選択図】図５
2020174663.tif 000002
【特許請求の範囲】
【請求項１】
走行車体に取り付けられた走行車輪と、
前記走行車輪の操舵量を調整するステアリング装置と、
前記ステアリング装置を駆動するモータと、
測位手段から測位情報を受け取り、受け取った測位情報に基づいて機体の現在の位置情報を取得する位置取得装置と、
前記モータを制御する制御装置と、を備え、
前記制御装置は、機体の旋回中において、前記位置情報に関わらず前記操舵量が所定の値になるよう前記モータを制御して実行する第１旋回動作モードと、前記位置情報に基づいて、旋回走行経路上における所望の位置に機体が到達するよう前記モータを制御して実行する第２旋回動作モードと、を有すること
を特徴とする作業車両。
【請求項２】
前記制御装置は、機体の旋回開始時には前記第１旋回動作モードを実行し、前記第１旋回動作モードが終了すると前記第２旋回動作モードを実行すること
を特徴とする請求項１に記載の作業車両。
【請求項３】
前記制御装置は、機体の旋回開始時には前記第２旋回動作モードを実行し、前記第２旋回動作モードが終了すると前記第１旋回動作モードを実行し、前記第１旋回動作モードが終了すると前記第２旋回動作モードを実行すること
を特徴とする請求項１に記載の作業車両。
【請求項４】
前記走行車輪の回転数を検出する検出装置をさらに備え、
前記検出装置は、前記第１旋回動作モードの開始に伴い前記回転数の検出を開始し、
前記制御装置は、前記回転数が所定の値になると前記第２旋回動作モードに移行するこ  とを特徴とする請求項２または３に記載の作業車両。
【請求項５】
機体の旋回を開始する場合に操作される旋回開始操作部をさらに備え、
前記制御装置は、前記位置情報に基づく機体の現在位置から所望の旋回開始位置までの距離が所定の距離以下の場合には前記旋回開始操作部の操作に基づいて前記第１旋回動作モードまたは前記第２旋回動作モードを実行し、前記位置情報に基づく機体の現在位置から所望の旋回開始位置までの距離が前記所定の距離を超える場合には前記旋回開始操作部が操作されても前記第１旋回動作モードまたは前記第２旋回動作モードを実行しないこと
を特徴とする請求項２〜４のいずれか１項に記載の作業車両。
【請求項６】
前記制御装置は、直進走行経路に沿って機体を走行させる自動直進モードを有し、所望の旋回終了位置に向けた前記第２旋回動作モードが終了すると前記自動直進モードに移行すること
を特徴とする請求項２〜５のいずれか１項に記載の作業車両
【発明の詳細な説明】
【技術分野】
【０００１】
本発明は、作業車両に関する。
【背景技術】
【０００２】
従来、圃場を走行しながら作業を行う作業車両には、作業開始位置と作業終了位置との位置情報を取得し、取得した位置情報から基準線を作成し、作成した基準線に沿って自動走行するものがある（たとえば、特許文献１参照）。
【先行技術文献】
【特許文献】
【０００３】
【特許文献１】特開２０１６−２１８９０号公報
【発明の概要】
【発明が解決しようとする課題】
【０００４】
上記したような作業車両において、取得した位置情報に基づいて自動旋回させることが考えられる。しかしながら、自動旋回させる場合、旋回行程の全てにわたり位置情報を用いる必要があり、制御が複雑になる。
【０００５】
本発明は、上記に鑑みてなされたものであって、簡素な制御で自動旋回を行うことができる作業車両を提供することを目的とする。
【課題を解決するための手段】
【０００６】
上述した課題を解決し、目的を達成するために、請求項１に記載の作業車両（１）は、走行車体（２）に取り付けられた走行車輪（１０，１１）と、前記走行車輪（１０）の操舵量を調整するステアリング装置（３５）と、前記ステアリング装置（３５）を駆動するモータ（９５）と、測位手段から測位情報を受け取り、受け取った測位情報に基づいて機体の現在の位置情報を取得する位置取得装置（１５０）と、前記モータ（９５）を制御する制御装置（１００）と、を備え、前記制御装置（１００）は、機体の旋回中において、前記位置情報に関わらず前記操舵量が所定の値になるよう前記モータ（９５）を制御して実行する第１旋回動作モードと、前記位置情報に基づいて、旋回走行経路（Ｌ２）上における所望の位置に機体が到達するよう前記モータ（９５）を制御して実行する第２旋回動作モードと、を有することを特徴とする。
【０００７】
請求項２に記載の作業車両（１）は、請求項１に記載の作業車両（１）において、前記制御装置（１００）は、機体の旋回開始時には前記第１旋回動作モードを実行し、前記第１旋回動作モードが終了すると前記第２旋回動作モードを実行することを特徴とする。
【０００８】
請求項３に記載の作業車両（１）は、請求項１に記載の作業車両（１）において、前記制御装置（１００）は、機体の旋回開始時には前記第２旋回動作モードを実行し、前記第２旋回動作モードが終了すると前記第１旋回動作モードを実行し、前記第１旋回動作モードが終了すると前記第２旋回動作モードを実行することを特徴とする。
【０００９】
請求項４に記載の作業車両（１）は、請求項２または３に記載の作業車両（１）において、前記走行車輪（１１）の回転数を検出する検出装置（９０）をさらに備え、前記検出装置（９０）は、前記第１旋回動作モードの開始に伴い前記回転数の検出を開始し、前記制御装置（１００）は、前記回転数が所定の値になると前記第２旋回動作モードに移行することを特徴とする。
【００１０】
請求項５に記載の作業車両（１）は、請求項２〜４のいずれか１項に記載の作業車両（１）において、機体の旋回を開始する場合に操作される旋回開始操作部（４８）をさらに備え、前記制御装置（１００）は、前記位置情報に基づく機体の現在位置から所望の旋回開始位置（Ｐ１）までの距離が所定の距離以下の場合には前記旋回開始操作部（４８）の操作に基づいて前記第１旋回動作モードまたは前記第２旋回動作モードを実行し、前記位置情報に基づく機体の現在位置から所望の旋回開始位置（Ｐ１）までの距離が前記所定の距離を超える場合には前記旋回開始操作部（４８）が操作されても前記第１旋回動作モードまたは前記第２旋回動作モードを実行しないことを特徴とする。
【００１１】
請求項６に記載の作業車両（１）は、請求項２〜５のいずれか１項に記載の作業車両（１）において、前記制御装置（１００）は、直進走行経路（Ｌ１）に沿って機体を走行させる自動直進モードを有し、所望の旋回終了位置（Ｐ２）に向けた前記第２旋回動作モードが終了すると前記自動直進モードに移行することを特徴とする。
【発明の効果】
【００１２】
請求項１に記載の発明によれば、機体の旋回中において位置情報に基づいた動作モードではない第１旋回動作モードを実行するため、自動旋回に係る制御の全てに位置情報を用いる必要がなくなり、すなわち、自動旋回中に位置情報を用いる制御が一部でよくなり、簡素な制御で自動旋回を行うことができる。
【００１３】
請求項２に記載の発明によれば、請求項１に記載の発明の効果に加えて、機体の旋回開始時には第１旋回動作モードを実行し、旋回終了時には第２旋回動作モードを実行することで、より簡素な制御で自動旋回を行うことができる。
【００１４】
請求項３に記載の発明によれば、請求項１に記載の発明の効果に加えて、機体の旋回開始時に実行する第２旋回動作モードの終了後である旋回途中の機体の直進時に第１旋回動作モードを実行するため、第１旋回動作モードにおける、たとえば、走行車輪のスリップによる走行誤差を減らすことができ、旋回行程の全体として、自動旋回を正確に行うことができる。
【００１５】
請求項４に記載の発明によれば、請求項２または３に記載の発明の効果に加えて、第１旋回動作モードの開始に伴い走行車輪の回転数の検出（カウント）を開始し、走行車輪の回転数が所定の値になると第２旋回動作モードに移行するため、上記同様、自動旋回中に位置情報を用いる制御が一部でよくなり、簡素な制御で自動旋回を行うことができる。
【００１６】
請求項５に記載の発明によれば、請求項２〜４のいずれか１項に記載の発明の効果に加えて、機体の現在位置から所望の旋回開始位置まで距離が短い場合には旋回開始操作部が操作されると第１旋回動作モードまたは第２旋回動作モードを実行する。一方、機体の現在位置から所望の旋回開始位置まで距離が長い場合には旋回開始操作部が操作されても第１旋回動作モードまたは第２旋回動作モードを実行しない。このように、たとえば、圃場の中央付近などの旋回開始位置以外で旋回開始操作部が操作されても、すなわち、誤操作されても第１旋回動作モードまたは第２旋回動作モードを実行しないことで、誤操作を防止することができる。
【００１７】
請求項６に記載の発明によれば、所望の旋回終了位置に向けた第２旋回動作モード（機体の旋回中において第２旋回動作モードを２回以上行う場合は、最後の第２旋回動作モード）が終了するとそのまま自動直進モードに移行して自動直進を開始するため、作業を継続的に行うことができ、作業性を向上させることができる。
【図面の簡単な説明】
【００１８】
【図１】図１は、作業車両の一例を示す側面図である。
【図２】図２は、作業車両の一例を示す平面図である。
【図３】図３は、制御装置を中心とした制御系を示すブロック図である。
【図４】図４は、作業車両の圃場における自律走行の説明図である。
【図５】図５は、第１実施形態に係る自動旋回制御の説明図である。
【図６】図６は、第１実施形態に係る自動旋回制御の処理手順を示すフローチャートである。
【図７】図７は、自動旋回制御を開始する制御の処理手順を示すフローチャートである。
【図８】図８は、第１旋回動作モードから第２旋回動作モードに移行する制御の処理手順を示すフローチャートである。
【図９】図９は、第２実施形態に係る自動旋回制御の説明図である。
【図１０】図１０は、第２実施形態に係る自動旋回制御の処理手順を示すフローチャートである。
【図１１】図１１は、第３実施形態に係る自動旋回制御の説明図である。
【図１２】図１２は、第３実施形態に係る自動旋回制御の処理手順を示すフローチャートである。
【発明を実施するための形態】
【００１９】
以下、添付図面を参照して本願の開示する作業車両の実施形態を詳細に説明する。なお、以下に示す実施形態によりこの発明が限定されるものではない。
【００２０】
＜作業車両の概要＞
まず、図１および図２を参照して実施形態に係る作業車両（１）の概要について説明する。
【００２１】
図１は、作業車両（１）を示す側面（左側面）図である。図２は、作業車両（１）を示す平面図である。
【００２２】
なお、以下の説明では、前後方向とは、作業車両（１）の直進時における進行方向であり、進行方向の前方側を「前」、後方側を「後」と規定する。作業車両（１）の進行方向とは、直進時において、操縦席（４１）からハンドル（３５）に向かう方向である（図１および図２参照）。
【００２３】
左右方向とは、前後方向に対して水平に直交する方向であり、「前」側へ向けて左右を規定する。すなわち、操縦者（作業者ともいう）が操縦席（４１）に着席して前方を向いた状態で、左手側が「左」、右手側が「右」である。
【００２４】
上下方向とは、鉛直方向である。前後方向、左右方向および上下方向は互いに直交する。各方向は説明の便宜上定義したものであり、これらの方向によって本発明が限定されるものではない。
【００２５】
また、以下の説明では、作業車両１を指して「機体」という場合がある。実施形態では、作業車両を、作業装置として苗植付部（４）を備え、圃場に苗を受け付ける乗用型の苗移植機（１）として説明する。図１および図２に示すように、苗移植機（１）は、走行車体（２）の後側に昇降リンク機構（３）を介して、圃場に苗を植え付ける昇降可能な苗植付部（４）（作業装置）を備える。
【００２６】
走行車体（２）の後部上側には施肥装置（５）の本体部分が配置される。なお、作業車両が苗移植機（１）ではない場合、種子を供給する播種装置などを作業装置として備える場合がある。
【００２７】
走行車体（２）は、走行車輪であり駆動輪である、左右の前輪（１０）および後輪（１１）を備える四輪駆動車両である。走行車体（２）の車体骨格を構成するメインフレーム（１５）の前側には、苗植付部（４）などに駆動力を伝達するミッションケース（１３）と、エンジン（３０）から供給される駆動力、すなわち、エンジン（３０）で発生した回転をミッションケース（１３）に出力する油圧式の無段変速装置（１４）（主変速機構）とが設けられる。
【００２８】
無段変速装置（１４）は、いわゆるＨＳＴ（Hydro  Static  Transmission）と呼ばれる静油圧式の無段変速機である。以下では、無段変速装置がＨＳＴ（１４）である場合を説明する。
【００２９】
ミッションケース（１３）内には、高速モードでの路上走行時や、低速モードでの苗の植え付け時などにおける走行車体（２）の走行モードを切り替える副変速機構（１６）が設けられる。
【００３０】
ミッションケース（１３）の左右側方には、前輪ファイナルケース（１０ａ）が設けられ、左右の前輪ファイナルケース（１０ａ）の操向方向を変更可能な前輪支持部からそれぞれ外向きに突出する左右の前車軸（１０ｂ）に前輪（１０）が取り付けられる。
【００３１】
また、メインフレーム（１５）の後部側には、機体横方向に設けられた後部フレーム（２２）（図２参照）の左右両側に後輪ギアケース（１１ａ）が取付けられ、後輪ギアケース（１１ａ）からそれぞれ外向きに突出する左右の後車軸（１１ｂ）に後輪（１１）（走行車輪）がそれぞれ取り付けられる。
【００３２】
また、後部フレーム（２２）の上部には、昇降リンク機構（３）を支持する左右のリンク支持フレーム（２３）が上方に向けて突設される。左右のリンク支持フレーム（２３）の下部側で、かつ、左右の間には、左右一対のロワリンクアーム（２４）が設けられる。左右のロワリンクアーム（２４）の左右の間に、油圧により作動する昇降シリンダ（２５）（昇降装置）が設けられる。
【００３３】
昇降シリンダ（２５）の上方には、アッパリンクアーム（２６）が設けられ、平行リンク機構である昇降リンク機構（３）が構成される。なお、それぞれ一端が走行車体（２）側に連結された、左右のロワリンクアーム（２４）と、昇降シリンダ（２５）と、アッパリンクアーム（２６）の他端側とは、苗植付部（４）の前部に装着される。
【００３４】
また、メインフレーム（１５）上には、エンジン（３０）が搭載される。エンジン（３０）の回転動力が、ベルト伝動装置（２１）およびＨＳＴ（１４）を介してミッションケース（１３）に伝達される。ミッションケース（１３）に伝達された回転動力は、ミッションケース（１３）内の副変速機構（１６）により変速された後、走行動力と外部取り出し動力に分けられる。
【００３５】
また、エンジン（３０）の回転動力は、図示しない油圧ポンプに伝達される。油圧ポンプで発生した油圧は、ＨＳＴ（１４）や、ハンドル（３５）のパワーステアリング機構（８８）（図３参照）や、昇降シリンダ（２５）などに供給される。
【００３６】
ミッションケース（１３）に伝達された回転動力から取り出される外部取り出し動力は、走行車体（２）の後部に設けられた植付クラッチケース（２７）に伝達され、植付クラッチケース（２７）から植付伝動軸（６７）によって苗植付部（４）に伝達される。
【００３７】
一方、ミッションケース（１３）の後部には、左右のドライブシャフト（４２）が設けられる。エンジン（３０）からの回転動力は、ミッションケース（１３）およびドライブシャフト（４２）を介して左右の後輪ギアケース（１１ａ）に伝動される。
【００３８】
なお、左右のドライブシャフト（４２）よりも伝動方向上手側には、左右のドライブシャフト（４２）に対する動力伝達を入切するサイドクラッチ（４４）（図３参照）が配置される。図１に示すように、操縦席（４１）の前側下部であり、かつ、左右一側には、左右のサイドクラッチ（４４）を入切操作するサイドクラッチペダル（４３ａ）が設けられる。
【００３９】
左右のサイドクラッチペダル（４３ａ）のうち、旋回内側のサイドクラッチペダル（４３ａ）を踏み込んでサイドクラッチ（４４）を切状態にしてからハンドル（３５）を操作して旋回走行すると、旋回内側の後輪（１１）の駆動回転を完全に遮断することができる。
【００４０】
これにより、ハンドル（３５）単独の操作による旋回走行よりも旋回半径を小さくすることができ、圃場条件に適した作業条の作業開始位置を適切に選択可能となって作業精度が向上する。
【００４１】
このように、旋回時に旋回内側の後輪（１１）への伝動を停止させ、旋回半径を小さくすることができ、旋回前の作業位置と旋回後の作業位置が離れることを防止できるので、旋回後の作業開始位置の調整をやり直す操作が不要になり、作業効率や作業精度が向上する。
【００４２】
なお、実施形態では、後述する自動旋回制御において、ハンドル（３５）の操作により走行車体（２）を旋回操作させると、旋回内側に位置するサイドクラッチ（４４）が切状態になり、旋回内側の後輪（１１）への伝動を停止させるように構成されている。
【００４３】
走行車体（２）の前側上部には、各部の操作を行う操縦パネル（３８）を上部に配置されたボンネット（３９）が設けられる。操縦パネル（３８）には、後述する自動旋回制御を行うか否かを切り替える自動旋回スイッチ（４８）や、モニタ（８６）（図３参照）などが設けられる。
【００４４】
また、ボンネット（３９）には、機体を操舵するハンドル（３５）、ＨＳＴ（１４）や苗植付部（４）を操作する変速操作レバー（３６）、副変速機構（１６）を操作する副変速操作レバー（３７）などが設けられる。
【００４５】
また、ボンネット（３９）の前側には、開閉可能なフロントカバー（４０）が設けられる。フロントカバー（４０）の内部には、燃料タンクやバッテリ、ハンドル（３５）の操舵に左右の前輪（１０）および左右の前輪ファイナルケース（１０ａ）の下部側を回動させる連動機構が設けられる。
【００４６】
ボンネット（３９）よりも機体後側で、かつ、エンジン（３０）の上方位置には、エンジン（３０）の上部および側部を覆うエンジンカバー（３０ａ）が設けられ、エンジンカバー（３０ａ）の上部には操縦者が着席する操縦席（４１）が設けられる。
【００４７】
操縦席（４１）の後側であって、メインフレーム（１５）の後端側には、施肥装置（５）が設けられる。施肥装置（５）の駆動力は、左右の後輪ギアケース（１１ａ）の左右一側から施肥装置（５）に臨むように設けられる、施肥伝動機構によって伝達される。
【００４８】
ところで、エンジンカバー（３０ａ）およびボンネット（３９）の下部における左右両側は、略水平なフロアステップ（３３）が形成される。フロアステップ（３３）は、図２に示すように、一部格子状であり、たとえば、フロアステップ（３３）を歩く操縦者の靴などについた泥が落ちても、落ちた泥などが圃場に落下する。
【００４９】
また、フロアステップ（３３）の後方には、図２に示すように、リヤステップ（３３０）が連接される。リヤステップ（３３０）の表面には、作業時に足が滑りにくくなるように、たとえば、複数の突起パターンが形成された滑り止め加工が施されることが好ましい。
【００５０】
また、走行車体（２）の前側であり、かつ、左右両側には、苗枠支柱（５１）に複数の予備苗載せ台（５２）を上下方向に間隔を空けて配置する予備苗枠（５０）がそれぞれ設けられ、苗植付部（４）に補充される苗や肥料袋などの作業資材が載置可能となっている。
【００５１】
また、昇降リンク機構（３）の後端部には、圃場に植え付ける苗を積載する苗タンク（５３）が、左右方向に摺動させる摺動機構と共に装着されている。苗タンク（５３）には、上下方向に長い苗仕切フェンス（５４）を左右方向に所定間隔を空けてそれぞれ配置される。苗タンク（５３）の下方には、積載された苗を掻き取って圃場に植え付ける苗植付装置（５５）が配置される。
【００５２】
苗植付装置（５５）は、苗仕切フェンス（５４）により区切られた植付作業条数と同数、すなわち、８条同時に植え付けるものであり、植付伝動ケース（５６）が苗タンク（５３）の下方に間隔を空けて４つ配置され、植付伝動ケース（５６）の左右両側に回転しながら植込杆（５８）により苗を取って圃場に植え付ける植付ロータリ（５７）がそれぞれ装着される。
【００５３】
施肥装置（５）は、肥料が貯留される施肥ホッパ（７０）が、苗植付部（４）の作業条数と同数（図２に示す例では、８条分）に仕切られている。なお、８条分の施肥ホッパ（７０）は、左右方向に長いため肥料の投入や着脱の利便性が低下するので、４条ずつに仕切られたものを左右にそれぞれ並べる、いわゆるサイド施肥構造であってもよい。
【００５４】
施肥ホッパ（７０）の下部には、肥料を設定量ずつ供給する繰出装置（７１）が１条ごとに設けられる。繰出装置（７１）の下方には、肥料を移動させる搬送風が通過する通風ダクト（７２）が機体の左右方向に設けられる。繰出装置（７１）の下方には、苗植付部（４）の苗植付位置の近傍に肥料を案内する施肥ホース（７３）が設けられる。また、通風ダクト（７２）の機体の一側端部には、ブロア用電動モータ（７６）により作動して搬送風を発生するブロア（７４）が設けられる。
【００５５】
図１および図２に示すように、苗植付部（４）の下方には、圃場面に接地して滑走するセンターフロート（６２Ｃ）と、左右２つずつのサイドフロート（６２Ｌ、６２Ｒ）とが、軸まわりに回動自在に設けられる。なお、センターフロート（６２Ｃ）および左右のサイドフロート（６２Ｌ、６２Ｒ）を総称してフロート（６２）という場合がある。
【００５６】
また、苗植付部（４）の下方において、フロート（６２）よりも機体前側には、圃場面の凹凸を整地する整地ロータ（６３）が設けられる。など、整地ロータ（６３）には、左右他側の後輪ギアケース（１１ａ）からロータ伝動シャフト（６３ａ）を介して駆動力が伝達される。
【００５７】
また、図１に示すように、苗植付部（４）の左右両側には、左右いずれか一方が圃場面に接地して、次の作業条（次工程）における走行の目安とする溝を形成する線引きマーカ（６５）がそれぞれ設けられる。左右の線引きマーカ（６５）は、左右一側が接地すると他側が上方に離間し、旋回時に苗植付部（４）を上昇させたときには左右両側共に上方に離間し、旋回後に苗植付部（４）が下降すると、左右一側が上方に離間して他側が接地する。
【００５８】
また、図１および図２に示すように、走行車体（２）の左右中央部であり、かつ、ボンネット（３９）の前方には、上下方向に長いセンターマスコット（６６）が設けられる。センターマスコット（６６）を左右の線引きマーカ（６５）により圃場に形成された溝に合わせることにより、直前の作業条の作業位置に合わせた走行が可能になり、作業精度の向上や、非作業の発生防止を図ることができる。
【００５９】
なお、圃場の土質によっては、左右の線引きマーカ（６５）により形成されたガイド線がすぐに埋もれてしまい、直進の目安が消えてしまうことがある。このような場合には、左右の線引きマーカ（６５）よりも機体前側に設けられた左右のサイドマーカ（１９）を用いるとよい。すなわち、左右のサイドマーカ（１９）を機体外側方向に移動させ、植え付けられた苗の上方にサイドマーカ（１９）を位置させることで、前の作業条の苗の植え付けに合わせた植付作業が可能になる。
【００６０】
また、図１に示すように、苗移植機（１）は、位置取得装置（１５０）を備える。位置取得装置（１５０）は、ＧＰＳ（Global  Positioning  System）やＧＮＳＳ（Global  Navigation  Satellite  System）などの測位手段から測位情報を受け取り、受け取った測位情報に基づいて機体の現在の位置情報を作成し、取得する。位置取得装置（１５０）は、たとえば、取付ステー（５９）に取り付けられ、走行車体（２）の上方に配置される。
【００６１】
位置取得装置（１５０）による位置情報に基づいて作成される、直進制御用プログラムと、旋回制御用プログラムとは、互いに別の場所に格納される。直進制御用プログラムは、たとえば、位置取得装置（１５０）内の直進制御用ＥＣＵ（Electronic  Control  Unit）（１００ａ）に格納され、旋回制御用プログラムは、たとえば、ボンネット（３９）に収容された旋回制御用ＥＣＵ（１００ｂ）に格納される。なお、直進制御用ＥＣＵ（１００ａ）および旋回制御用ＥＣＵ（１００ｂ）は、後述する制御装置（１００）（図３参照）に含まれる。
【００６２】
＜作業車両の制御系＞
次に、図３を参照して苗移植機（１）の制御系Ｃについて説明する。図３は、苗移植機（１）における、制御装置（１００）を中心とした制御系Ｃを示すブロック図である。苗移植機（１）は、電子制御によって各部を制御することが可能なものであり、各部を制御する制御装置（以下、コントローラという）（１００）を備える。
【００６３】
コントローラ（１００）は、ＣＰＵ（Central  Processing  Unit）などを有する処理部や、ＲＯＭ（Read  Only  Memory）、ＲＡＭ（Random  Access  Memory）などの記憶部、さらには入出力部が設けられ、これらは、互いに接続されて互いに信号の受け渡しが可能である。記憶部には、苗移植機（１）を制御するコンピュータプログラムなどが格納される。コントローラ（１００）は、記憶部に格納されたコンピュータプログラムなどを読み出すことで、各機能を発揮させる。
【００６４】
コントローラ（１００）には、たとえば、アクチュエータ類として、スロットルモータ（８０）、油圧制御弁（８１，８２）、植付クラッチ作動ソレノイド（８３）、サイドクラッチ作動ソレノイド（８４）、ＨＳＴモータ（８５）、線引きマーカ昇降モータ（８７）、ステアリングモータ（９５）などが接続される。
【００６５】
スロットルモータ（８０）は、エンジン（３０）の吸気量を調節するスロットルを作動させることにより、エンジン（３０）の出力軸の回転数を増減させる。油圧制御弁（８１）は、昇降シリンダ（２５）の伸縮動作を制御する。油圧制御弁（８２）は、パワーステアリング機構（８８）を制御する。植付クラッチ作動ソレノイド（８３）は、植付クラッチ（２７ａ）を作動させる。
【００６６】
サイドクラッチ作動ソレノイド（８４）は、後輪（１１）への動力伝達状態を切り替えるサイドクラッチ（４４）を作動させる。なお、サイドクラッチ（４４）は、左右の後輪（１１）にそれぞれ設けられ、サイドクラッチ作動ソレノイド（８４）は、各サイドクラッチ（４４）に対応して２つ設けられる。
【００６７】
ＨＳＴモータ（８５）は、ＨＳＴ（１４）のトラニオンの回動角度を変更することで、ＨＳＴ（１４）の斜板の傾斜角を変更する。ステアリングモータ（９５）は、自動旋回制御が行われる場合に、走行車輪である前輪（１０）（図１参照）の操舵量（舵角）を調整するステアリング装置であるハンドル（３５）を駆動するモータである。ステアリングモータ（９５）は、ハンドル（３５）を回動させる。線引きマーカ昇降モータ（８７）は、線引きマーカ（６５）を昇降させる。
【００６８】
また、コントローラ（１００）には、検出装置である、回転数センサ（９０）、操舵量センサ（９１）、傾斜センサ（９２）などが接続される。回転数センサ（９０）は、走行車輪である左右の後輪（１１）に対応して２つ設けられ、左右の後輪（１１）の回転数をそれぞれ検出する。なお、回転数センサ（９０）は、左右の前輪（１０）の回転数を検出してもよい。
【００６９】
操舵量センサ（９１）は、ステアリング装置であるハンドル（３５）の操作量、すなわち、前輪（１０）の操舵量（舵角）を検出する。なお、操舵量は、ハンドル（３５）の操作量がゼロの場合を基準として、すなわち、走行車体（２）の直進走行時を基準として、左右方向それぞれで検出される。傾斜センサ（９２）は、走行車体（２）の傾きである傾斜角を検出する。
【００７０】
また、コントローラ（１００）には、操作信号として、変速操作レバー（３６）、副変速操作レバー（３７）、植付部自動昇降スイッチ（４７）、自動旋回スイッチ（４８）、線引きマーカ自動昇降スイッチ（４９）などから信号が入力される。
【００７１】
植付部自動昇降スイッチ（４７）は、ハンドル（３５）の操作量、すなわち、前輪（１０）の操舵量に連動して苗植付部（４）を自動的に昇降させるか否かを切り替えるスイッチである。植付部自動昇降スイッチ（４７）が「ＯＮ」の場合には、操舵量に連動して苗植付部（４）を自動的に昇降させる制御が実行される。一方、植付部自動昇降スイッチ（４７）が「ＯＦＦ」の場合には、操舵量に連動して苗植付部（４）を自動的に昇降させる制御は、実行されない。
【００７２】
線引きマーカ自動昇降スイッチ（４９）は、ハンドル（３５）の操作量、すなわち、前輪（１０）の操舵量に連動して線引きマーカ（６５）を自動的に昇降させるか否かを切り替えるスイッチである。線引きマーカ自動昇降スイッチ（４９）が「ＯＮ」の場合には、操舵量に連動して線引きマーカ（６５）を自動的に昇降させる制御が実行される。一方、線引きマーカ自動昇降スイッチ（４９）が「ＯＦＦ」の場合には、操舵量に連動して線引きマーカ（６５）を自動的に昇降させる制御は、実行されない。
【００７３】
自動旋回スイッチ（４８）は、ランプ付きの跳ね返りスイッチであり、自動旋回を開始または中止するかを切り替えるスイッチである。自動旋回スイッチ（４８）は、操縦者により「ＯＮ」にされて自動旋回が行われている間は点灯し、自動旋回が終了すると、「ＯＦＦ」になり、消灯する。また、自動旋回スイッチ（４８）は、自動旋回中に操縦者により「ＯＦＦ」にされ、自動旋回が中止されると、消灯する。これにより、自動旋回を行っているか否かを、操縦者が認識可能となる。
【００７４】
また、コントローラ（１００）には、位置取得装置（１５０）から機体の現在の位置情報が入力される。コントローラ（１００）は、位置情報に基づいて、機体が自動で走行しながら作業を行う自律走行モードを実行する。コントローラ（１００）を中心として、自動旋回スイッチ（４８）、回転数センサ（９０）、操舵量センサ（９１）、ステアリングモータ（９５）、ハンドル（３５）および位置取得装置（１５０）は、後述する自動旋回モードの制御系（Ｃ）を構成している。
【００７５】
＜自律走行モード＞
ここで、図４を参照して、苗移植機（１）による、圃場における自動旋回を含む自動走行（自律走行）について説明する。図４は、作業車両（苗移植機（１））の圃場における自律走行の説明図である。コントローラ（１００）（図３参照）は、前輪（１０）（図１参照）の操舵量をフィードバックしながらステアリングモータ（９５）（図３参照）を制御してハンドル（３５）（図３参照）を操作する自律走行モードを有する。自律走行モードは、自動直進モードと、自動旋回モードとを含む。
【００７６】
図４に示すように、自律走行モードにおいては、苗移植機（１）は、圃場（Ｆ）において、予定走行経路に沿って直進および旋回を繰り返しながら苗の植え付け作業を自動で行う。なお、コントローラ（１００）は、上記したように、走行車体（２）の上方に配置された位置取得装置（１５０）によって苗移植機（１）の現在の位置情報を取得する。
【００７７】
苗移植機（１）は、圃場（Ｆ）における所定の作業エリア内を往復しながら、苗の植付を行う。この場合、直進走行については、コントローラ（１００）が自動直進モードを実行することにより、設定された直進走行経路（Ｌ１）に沿って自動走行を行う。また、旋回走行については、コントローラ（１００）が自動旋回モードを実行することにより、設定された旋回走行経路（Ｌ２）に沿って自動旋回を行う。
【００７８】
直進走行経路（Ｌ１）は、走行基準となる基準線（Ｌ０）に対して平行である。基準線（Ｌ０）は、苗の植え付け方向にあわせて、圃場（Ｆ）において設定される。コントローラ（１００）は、直進走行の開始位置および終了位置をそれぞれ基準始点（Ａ点）および基準終点（Ｂ点）として取得し、Ａ点およびＢ点を結ぶ線分を基準線（Ｌ０）として登録する。
【００７９】
また、コントローラ（１００）は、自動旋回モードとして、第１旋回動作モードと、第２旋回動作モードとを有する。コントローラ（１００）は、第１旋回動作モードおよび第２旋回動作モードを組み合わせることで、自動旋回モードとして実行する。なお、コントローラ（１００）は、自動旋回スイッチ（４８）が操縦者により「ＯＮ」されると、自動旋回モードを実行する。
【００８０】
第１旋回動作モードでは、コントローラ（１００）は、苗移植機（１）の旋回中において、ハンドル（３５）の操舵量が所定の値になるようステアリングモータ（９５）を制御する。この場合、コントローラ（１００）は、位置取得装置（１５０）が取得した位置情報に関わらず処理を実行する。
【００８１】
第２旋回動作モードでは、コントローラ（１００）は、苗移植機１の旋回中において、位置取得装置（１５０）が取得した位置情報に基づいて、旋回走行経路（Ｌ２）上のいずれか所望の位置に苗移植機（１）が到達するようステアリングモータ（９５）を制御する。
【００８２】
このように、コントローラ（１００）が、第１旋回動作モードおよび第２旋回動作モードを有し、機体の旋回中において位置情報に基づいた動作モードではない第１旋回動作モードを実行するため、自動旋回に係る制御の全てに位置情報を用いる必要がない。このため、自動旋回中に位置情報を用いる制御が一部でよくなり、簡素な制御で自動旋回を行うことができる。
【００８３】
なお、コントローラ（１００）は、自動旋回モードでは、苗移植機（１）の旋回中において旋回走行経路（Ｌ２）からずれて旋回（大回りまたは小回り）している場合には、位置取得装置（１５０）が取得した位置情報に基づいて補正する。
【００８４】
＜第１実施形態に係る自動旋回モード＞
次に、図５〜図８を参照して第１実施形態に係る自動旋回モードについて説明する。図５は、第１実施形態に係る自動旋回制御（自動旋回モード）の説明図である。図６は、第１実施形態に係る自動旋回制御（自動旋回モード）の処理手順を示すフローチャートである。
【００８５】
また、図７は、自動旋回制御（自動旋回モード）を開始する制御の処理手順を示すフローチャートである。図８は、第１旋回動作モードから第２旋回動作モードに移行する制御の処理手順を示すフローチャートである。
【００８６】
図５に示すように、第１実施形態に係る自動旋回モードでは、自動直進モードで進行してきた苗移植機１は、予め設定された所望の旋回開始位置（苗移植機１などの農業機械の場合は、１条における作業終了位置でもある）Ｐ１に近づいた位置で操縦者により自動旋回スイッチ（４８）（図３参照）が押されると、自動旋回を開始する。
【００８７】
自動旋回を開始すると、苗移植機（１）は、第１旋回動作モードによる進行を開始する。第１旋回動作モードでは、苗移植機（１）は、旋回走行経路（Ｌ２）に沿って進行し、旋回走行経路（Ｌ２）上の終了位置（モード終了位置）Ｐ３で第１旋回動作モードによる進行を終了する。苗移植機（１）は、第１旋回動作モードによる進行を終了すると、第２旋回動作モードによる進行を開始する。
【００８８】
第２旋回動作モードでは、苗移植機１は、予め設定された所望の旋回終了位置（苗移植機（１）などの農業機械の場合は、次の条における作業開始位置でもある）Ｐ２において次の条の直進走行経路（Ｌ１）に沿うように徐々に位置を補正しながら進行（直進）し、第２旋回動作モードによる進行を終了すると、自動直進モードで次の条における進行を開始する。
【００８９】
図６に示すように、第１実施形態では、コントローラ（１００）は、自動旋回スイッチ（４８）が「ＯＮ」操作されたか否かを判定する（ステップＳ１０１）。コントローラ（１００）は、自動旋回スイッチ（４８）が「ＯＮ」操作された場合（ステップＳ１０１：Ｙｅｓ）、苗移植機（１）が旋回開始位置（Ｐ１）に到達したか否かを判定する（ステップＳ１０２）。コントローラ（１００）は、旋回開始位置（Ｐ１）に到達したと判定すると（ステップＳ１０２：Ｙｅｓ）、第１旋回動作モードの実行を開始する（ステップＳ１０３）。
【００９０】
コントローラ（１００）は、（ステップ１０１）の処理において自動旋回スイッチ（４８）が「ＯＮ」操作されない場合（ステップＳ１０１：Ｎｏ）、「ＯＮ」操作されるまでかかる処理を繰り返す。また、コントローラ（１００）は、（ステップ１０２）の処理において苗移植機（１）が旋回開始位置（Ｐ１）に到達していない場合（ステップＳ１０２：Ｎｏ）、旋回開始位置（Ｐ１）に到達するまでかかる処理を繰り返す。
【００９１】
次いで、コントローラ（１００）は、苗移植機（１）が第１旋回動作モードの終了位置（モード終了位置）（Ｐ３）に到達したか否かを判定する（ステップＳ１０４）。コントローラ（１００）は、モード終了位置（Ｐ３）に到達した場合（ステップＳ１０４：Ｙｅｓ）、第１旋回動作モードの実行を終了し（ステップＳ１０５）、第２旋回動作モードの実行を開始する（ステップＳ１０６）。
【００９２】
コントローラ（１００）は、（ステップ１０４）の処理において苗移植機（１）がモード終了位置（Ｐ３）に到達しない場合（ステップＳ１０４：Ｎｏ）、モード終了位置（Ｐ３）に到達するまでかかる処理を繰り返す。
【００９３】
次いで、コントローラ（１００）は、苗移植機（１）が第２旋回動作モードの終了位置でもある旋回終了位置（Ｐ２）に到達したか否かを判定する（ステップＳ１０７）。コントローラ１００は、旋回終了位置（Ｐ２）に到達した場合（ステップＳ１０７：Ｙｅｓ）、第２旋回動作モードの実行を終了し（ステップＳ１０８）、旋回動作モードを終了する。
【００９４】
ここで、コントローラ（１００）は、第１旋回動作モードにおいて、たとえば、機体の向きが直進走行時を０度として左右いずれか旋回する側に、たとえば７０度になるようステアリングモータ（９５）（図３参照）を制御する。コントローラ（１００）は、機体の向きが７０度になると、直進走行に戻し始めるよう、すなわち、機体の向きが９０度になるようステアリングモータ（９５）を制御する。
【００９５】
コントローラ（１００）は、第１旋回動作モードから第２旋回動作モードに移行する場合、機体の向きが次の条の直進走行経路（Ｌ１）に対して、たとえば０〜２０度範囲内に入るようステアリングモータ（９５）を制御する。コントローラ（１００）は、第２旋回動作モードの開始時に機体の向きを０〜２０度範囲内に入れておくことで、第２旋回動作モードにおいて位置取得装置（１５０）（図３参照）が取得する位置情報に基づいて直進走行経路（Ｌ１）に沿うよう機体の向きを補正して旋回動作を完了する。
【００９６】
コントローラ（１００）は、（ステップＳ１０７）の処理において苗移植機１が旋回終了位置Ｐ２に到達しない場合（ステップＳ１０７：Ｎｏ）、旋回終了位置（Ｐ２）に到達するまでかかる処理を繰り返す。コントローラ（１００）は、旋回動作モードを終了すると、自動直進モードの実行を開始する。
【００９７】
また、図７に示すように、コントローラ（１００）は、図６に示す（ステップＳ１０１）の処理において、自動直進モードによる進行中、位置取得装置（１５０）が取得した位置情報に基づいて、苗移植機（１）の現在位置から旋回開始位置（Ｐ１）までの距離が所定の距離Ｄ以下であるか否かを判定する（ステップＳ１０１１）。コントローラ（１００）は、測位情報に基づいて走行距離を算出し、苗移植機（１）の現在位置から旋回開始位置（Ｐ１）までの距離が所定の距離Ｄ以下であるか否かを判定する。なお、コントローラ（１００）は、走行車輪の回転数に基づいて走行距離を算出してもよい。
【００９８】
コントローラ（１００）は、今回の直進走行時における植付工程よりも１つ前の植付工程である前工程における走行距離に基づいて上記判定を行う。
【００９９】
今回の植付工程における旋回開始位置（Ｐ１）は、今回の植付工程において、前工程における走行距離分、進んだ付近であると予測することができる。例えば、今回の植付工程において実際に旋回が開始される位置は、前工程における走行距離に対して、±５ｍ程度の範囲内であると予測することができる。
【０１００】
そのため、コントローラ（１００）は、前工程における走行距離に基づいて旋回開始位置（Ｐ１）を予測する。具体的には、コントローラ（１００）は、今回の植付工程において直進した距離が、前工程における走行距離となる位置を旋回開始位置（Ｐ１）と予測し、苗移植機（１）の現在位置から旋回開始位置（Ｐ１）までの距離が所定の距離Ｄ以下である場合に、旋回位置付近、すなわち畦際であると判定する。
【０１０１】
なお、旋回開始位置（Ｐ１）は、測位情報に基づいた座標によって認識されてもよい。
【０１０２】
コントローラ（１００）は、旋回開始位置（Ｐ１）までの距離が所定の距離Ｄ以下である場合（ステップＳ１０１１：Ｙｅｓ）、自動旋回スイッチ（４８）が「ＯＮ」操作されると、第１旋回動作モードを実行する（ステップＳ１０１２）。
【０１０３】
コントローラ（１００）は、（ステップＳ１０１１）の処理において旋回開始位置（Ｐ１）までの距離が所定の距離Ｄを超える場合（ステップＳ１０１１：Ｎｏ）、自動旋回スイッチ（４８）が「ＯＮ」操作されても、第１旋回動作モードを実行しないで（ステップＳ１０１３）、自動直進モードを継続する。
【０１０４】
また、第１旋回動作モードの終了位置（Ｐ３）は、回転数センサ（９０）（図３参照）により検出（カウント）された後輪（１１）（図１参照）の回転数に基づいて設定される。図８に示すように、コントローラ（１００）は、図６に示す（ステップＳ１０３）の処理において、第１旋回動作モードの実行を開始すると、これに伴い、後輪（１１）の回転数のカウントを開始し（ステップＳ１０３１）、後輪（１１）の回転数が所定の値（カウント値）になったか否かを判定する（ステップＳ１０３２）。
【０１０５】
コントローラ（１００）は、後輪（１１）の回転数が所定のカウント値になった場合（ステップＳ１０３２：Ｙｅｓ）、終了位置（Ｐ３）に到達したと判断して第１旋回動作モードの実行を終了するとともに第２旋回動作モードを実行する（ステップＳ１０３３）。コントローラ（１００）は、（ステップＳ１０３２）の処理において後輪（１１）の回転数が所定のカウント値でない場合（ステップＳ１０３２：Ｎｏ）、所定のカウント値になるまでかかる処理を繰り返す。
【０１０６】
以上説明した第１実施形態によれば、苗移植機１の旋回開始時には第１旋回動作モードを実行し、旋回終了時には第２旋回動作モードを実行することで、より簡素な制御で自動旋回を行うことができる。
【０１０７】
また、第１旋回動作モードの開始に伴い後輪（１１）の回転数のカウントを開始し、後輪（１１）の回転数が所定のカウント値になると第２旋回動作モードに移行するため、自動旋回中に位置情報を用いる制御が一部でよくなり、簡素な制御で自動旋回を行うことができる。
【０１０８】
また、苗移植機（１）の現在位置から旋回開始位置（Ｐ１）まで距離が短い場合には自動旋回スイッチ（４８）が「ＯＮ」操作されると第１旋回動作モードを実行する。一方、苗移植機（１）の現在位置から旋回開始位置（Ｐ１）まで距離が長い場合には自動旋回スイッチ（４８）が操作されても第１旋回動作モードを実行しない。このように、たとえば、圃場の中央付近などの旋回開始位置（Ｐ１）以外で自動旋回スイッチ（４８）が操作（すなわち、誤操作）されても第１旋回動作モードを実行しないことで、誤操作を防止することができる。
【０１０９】
また、旋回終了位置（Ｐ２）に向けた第２旋回動作モードが終了するとそのまま自動直進モードに移行して自動直進を開始するため、作業を継続的に行うことができ、作業性を向上させることができる。
【０１１０】
なお、第１実施形態では、第１旋回動作モードを実行してから第２旋回動作モードを実行するが、変形例として、たとえば、第２旋回動作モードを実行してから第１旋回動作モードを実行して旋回終了位置（Ｐ２）に到達させてもよい。
【０１１１】
＜第２実施形態に係る自動旋回モード＞
次に、図９および図１０を参照して第２実施形態に係る自動旋回モードについて説明する。図９は、第２実施形態に係る自動旋回制御（自動旋回モード）の説明図である。図１０は、第２実施形態に係る自動旋回制御（自動旋回モード）の処理手順を示すフローチャートである。
【０１１２】
図９に示すように、第２実施形態に係る自動旋回モードでは、上記した第１実施形態と同様、自動直進モードで進行してきた苗移植機（１）は、予め設定された所望の旋回開始位置（Ｐ１）に近づいた位置で操縦者により自動旋回スイッチ（４８）（図３参照）が押されると、自動旋回を開始する。
【０１１３】
自動旋回を開始すると、苗移植機（１）は、第２旋回動作モード（１回目）による進行を開始し、旋回走行経路（Ｌ２）に沿って進行する。苗移植機（１）は、旋回走行経路（Ｌ２）上の終了位置（モード終了位置）（Ｐ４）で１回目の第２旋回動作モードによる進行を終了する。
【０１１４】
苗移植機（１）は、１回目の第２旋回動作モードによる進行を終了すると、第１旋回動作モードによる進行を開始する。苗移植機（１）は、旋回走行経路（Ｌ２）上のモード終了位置（Ｐ５）で第１旋回動作モードによる進行を終了する。苗移植機（１）は、第１旋回動作モードによる進行を終了すると、再度第２旋回動作モード（２回目）による進行を開始する。
【０１１５】
２回目の第２旋回動作モードでは、苗移植機（１）は、予め設定された所望の旋回終了位置（Ｐ２）において次の条の直進走行経路（Ｌ１）に沿うように徐々に位置を補正しながら進行（直進）し、２回目の第２旋回動作モードによる進行を終了すると、自動直進モードで次の条における進行を開始する。
【０１１６】
図１０に示すように、第２実施形態では、コントローラ（１００）は、自動旋回スイッチ（４８）が「ＯＮ」操作されたか否かを判定する（ステップＳ２０１）。コントローラ（１００）は、自動旋回スイッチ（４８）が「ＯＮ」操作された場合（ステップＳ２０１：Ｙｅｓ）、苗移植機（１）が旋回開始位置（Ｐ１）に到達したか否かを判定する（ステップＳ２０２）。コントローラ（１００）は、旋回開始位置（Ｐ１）に到達したと判定すると（ステップＳ２０２：Ｙｅｓ）、第２旋回動作モード（１回目）の実行を開始する（ステップＳ２０３）。
【０１１７】
コントローラ（１００）は、（ステップ２０１）の処理において自動旋回スイッチ（４８）が「ＯＮ」操作されない場合（ステップＳ２０１：Ｎｏ）、「ＯＮ」操作されるまでかかる処理を繰り返す。また、コントローラ（１００）は、（ステップ２０２）の処理において苗移植機（１）が旋回開始位置（Ｐ１）に到達していない場合（ステップＳ２０２：Ｎｏ）、旋回開始位置（Ｐ１）に到達するまでかかる処理を繰り返す。
【０１１８】
次いで、コントローラ（１００）は、苗移植機（１）が１回目の第２旋回動作モードの終了位置（モード終了位置）（Ｐ４）に到達したか否かを判定する（ステップＳ２０４）。コントローラ（１００）は、モード終了位置（Ｐ４）に到達した場合（ステップＳ２０４：Ｙｅｓ）、１回目の第２旋回動作モードの実行を終了し（ステップＳ２０５）、第１旋回動作モードの実行を開始する（ステップＳ２０６）。
【０１１９】
コントローラ（１００）は、（ステップ２０４）の処理において苗移植機（１）がモード終了位置（Ｐ４）に到達しない場合（ステップＳ２０４：Ｎｏ）、モード終了位置（Ｐ４）に到達するまでかかる処理を繰り返す。
【０１２０】
次いで、コントローラ（１００）は、苗移植機（１）が第１旋回動作モードの終了位置（モード終了位置）（Ｐ５）に到達したか否かを判定する（ステップＳ２０７）。コントローラ（１００）は、モード終了位置（Ｐ５）に到達した場合（ステップＳ２０７：Ｙｅｓ）、第１旋回動作モードの実行を終了し（ステップＳ２０８）、第２旋回動作モード（２回目）の実行を開始する（ステップＳ２０９）。
【０１２１】
コントローラ（１００）は、（ステップ２０７）の処理において苗移植機（１）がモード終了位置（Ｐ５）に到達しない場合（ステップＳ２０７：Ｎｏ）、モード終了位置（Ｐ５）に到達するまでかかる処理を繰り返す。
【０１２２】
次いで、コントローラ（１００）は、苗移植機（１）が２回目の第２旋回動作モードの終了位置でもある旋回終了位置（Ｐ２）に到達したか否かを判定する（ステップＳ２１０）。コントローラ（１００）は、旋回終了位置（Ｐ２）に到達した場合（ステップＳ２１０：Ｙｅｓ）、２回目の第２旋回動作モードの実行を終了し（ステップＳ２１１）、旋回動作モードを終了する。
【０１２３】
コントローラ（１００）は、（ステップＳ２１０）の処理において苗移植機（１）が旋回終了位置（Ｐ２）に到達しない場合（ステップＳ２１０：Ｎｏ）、旋回終了位置（Ｐ２）に到達するまでかかる処理を繰り返す。コントローラ（１００）は、旋回動作モードを終了すると、自動直進モードの実行を開始する。
【０１２４】
ここで、コントローラ（１００）は、第１旋回動作モードから２回目の第２旋回動作モードに移行する場合、機体の向きが次の条の直進走行経路（Ｌ１）に対して、たとえば０〜２０度範囲内に入るようステアリングモータ（９５）を制御する。コントローラ（１００）は、２回目の第２旋回動作モードの開始時に機体の向きを０〜２０度範囲内に入れておくことで、２回目の第２旋回動作モードにおいて位置取得装置（１５０）（図３参照）が取得する位置情報に基づいて直進走行経路（Ｌ１）に沿うよう機体の向きを補正して旋回動作を完了する。
【０１２５】
また、第２実施形態においても、第１実施形態と同様、コントローラ（１００）は、図１０に示す（ステップＳ２０１）の処理において、自動直進モードによる進行中、位置取得装置（１５０）（図３参照）が取得した位置情報に基づいて、苗移植機（１）の現在位置が旋回開始位置（Ｐ１）までの距離が所定の距離（Ｄ）以下であるか否かを判定する。
【０１２６】
コントローラ（１００）は、旋回開始位置（Ｐ１）までの距離が所定の距離（Ｄ）以下である場合、自動旋回スイッチ（４８）が「ＯＮ」操作されると、１回目の第２旋回動作モードを実行する。
【０１２７】
コントローラ（１００）は、旋回開始位置（Ｐ１）までの距離が所定の距離（Ｄ）を超える場合、自動旋回スイッチ（４８）が「ＯＮ」操作されても、第１旋回動作モードを実行しないで、自動直進モードを継続する。
【０１２８】
また、第２実施形態においても、第１実施形態と同様、第１旋回動作モードの終了位置（Ｐ５）は、回転数センサ（９０）（図３参照）によりカウントされた後輪（１１）（図１参照）の回転数に基づいて設定される。コントローラ（１００）は、図１０に示す（ステップＳ２０６）の処理において、第１旋回動作モードの実行を開始すると、これに伴い、後輪（１１）の回転数のカウントを開始し、後輪（１１）の回転数が所定のカウント値になったか否かを判定する。
【０１２９】
コントローラ（１００）は、後輪（１１）の回転数が所定のカウント値になった場合、モード終了位置（Ｐ５）に到達したと判断して第１旋回動作モードの実行を終了するとともに２回目の第２旋回動作モードを実行する。コントローラ（１００）は、後輪（１１）の回転数が所定のカウント値でない場合、所定のカウント値になるまでかかる処理を繰り返す。
【０１３０】
以上説明した第２実施形態によれば、苗移植機１の旋回開始時には第１旋回動作モードを実行し、旋回終了時には第２旋回動作モードを実行することで、より簡素な制御で自動旋回を行うことができる。
【０１３１】
また、１回目の第２旋回動作モードの終了後である旋回途中の機体直進時に第１旋回動作モードを実行するため、第１旋回動作モードにおける後輪（１１）のスリップによる走行誤差を減らすことができ、旋回行程の全体として、自動旋回を正確に行うことができる。
【０１３２】
また、第１旋回動作モードの開始に伴い後輪（１１）の回転数のカウントを開始し、後輪（１１）の回転数が所定のカウント値になると２回目の第２旋回動作モードに移行するため、自動旋回中に位置情報を用いる制御が一部でよくなり、簡素な制御で自動旋回を行うことができる。
【０１３３】
また、苗移植機（１）の現在位置から旋回開始位置（Ｐ１）まで距離が短い場合には自動旋回スイッチ（４８）が「ＯＮ」操作されると第１旋回動作モードを実行する。一方、苗移植機（１）の現在位置から旋回開始位置（Ｐ１）まで距離が長い場合には自動旋回スイッチ（４８）が操作されても第１旋回動作モードを実行しない。このように、たとえば、圃場の中央付近などの旋回開始位置（Ｐ１）以外で自動旋回スイッチ（４８）が操作（すなわち、誤操作）されても第１旋回動作モードを実行しないことで、誤操作を防止することができる。
【０１３４】
また、旋回終了位置（Ｐ２）に向けた２回目の第２旋回動作モードが終了するとそのまま自動直進モードに移行して自動直進を開始するため、作業を継続的に行うことができ、作業性を向上させることができる。
【０１３５】
なお、第２実施形態では、第２旋回動作モードを実行してから第１旋回動作モードを実行し、再度第２旋回動作モードを実行するが、変形例として、たとえば、第１旋回動作モードを実行してから第２旋回動作モードを実行し、再度第１旋回動作モードを実行して旋回終了位置（Ｐ２）に到達させてもよい。
【０１３６】
また、第１旋回動作モードおよび第２旋回動作モードをそれぞれ２回以上実行する自動旋回モードとしてもよい。
【０１３７】
＜第３実施形態に係る自動旋回モード＞
次に、図１１および図１２を参照して第３実施形態に係る自動旋回モードについて説明する。図１１は、第３実施形態に係る自動旋回制御（自動旋回モード）の説明図である。図１２は、第３実施形態に係る自動旋回制御（自動旋回モード）の処理手順を示すフローチャートである。
【０１３８】
図１１に示すように、第３実施形態は、苗移植機（１）が、畦まで前進し、所定の距離後進してから旋回する、いわゆるドン付きバック旋回の場合における自動旋回モードである。
【０１３９】
第３実施形態に係る自動旋回モードでは、自動直進モードで畦際まで進行した苗移植機（１）は、操縦者により変速操作レバー（ＨＳＴレバーという）（３６）（図３参照）が後進側に操作されると、次の条における作業ライン（旋回走行経路（Ｌ２）および次の条の直進走行経路（Ｌ１））を取得し、後進動作を含む自動旋回を開始する。
【０１４０】
自動旋回を開始すると、苗移植機（１）は、所定の距離後進した後、第２旋回動作モード（１回目）による進行を開始し、旋回走行経路（Ｌ２）に沿って進行する。苗移植機（１）は、旋回走行経路（Ｌ２）上の終了位置（モード終了位置）（Ｐ６）で１回目の第２旋回動作モードによる進行を終了する。
【０１４１】
苗移植機（１）は、１回目の第２旋回動作モードによる進行を終了すると、第１旋回動作モードによる進行を開始する。苗移植機（１）は、旋回走行経路（Ｌ２）上のモード終了位置（Ｐ７）で第１旋回動作モードによる進行を終了する。苗移植機（１）は、第１旋回動作モードによる進行を終了すると、再度第２旋回動作モード（２回目）による進行を開始する。
【０１４２】
２回目の第２旋回動作モードでは、苗移植機（１）は、予め設定された所望の旋回終了位置（Ｐ２）において次の条の直進走行経路（Ｌ１）に沿うように徐々に位置を補正しながら進行（直進）し、２回目の第２旋回動作モードによる進行を終了すると、自動直進モードで次の条における進行を開始する。
【０１４３】
図１２に示すように、第３実施形態では、コントローラ（１００）は、ＨＳＴレバー（３６）が「後進」側に操作されたか否かを判定する（ステップＳ３０１）。コントローラ（１００）は、ＨＳＴレバー（３６）が「後進」側に操作された場合（ステップＳ３０１：Ｙｅｓ）、苗移植機（１）の後進を開始する（ステップＳ３０２）。
【０１４４】
コントローラ（１００）は、苗移植機（１）が旋回開始位置（Ｐ１）に到達したか否かを判定する（ステップＳ３０３）。コントローラ（１００）は、旋回開始位置（Ｐ１）に到達したと判定すると（ステップＳ３０３：Ｙｅｓ）、苗移植機（１）の後進を終了し（ステップＳ３０４）、第２旋回動作モード（１回目）の実行を開始する（ステップＳ３０５）。
【０１４５】
コントローラ（１００）は、（ステップ３０１）の処理においてＨＳＴレバー（３６）が「後進」側に操作されない場合（ステップＳ３０１：Ｎｏ）、「後進」側に操作されるまでかかる処理を繰り返す。また、コントローラ（１００）は、（ステップ３０３）の処理において苗移植機（１）が旋回開始位置（Ｐ１）に到達していない場合（ステップＳ３０３：Ｎｏ）、旋回開始位置（Ｐ１）に到達するまでかかる処理を繰り返す。
【０１４６】
次いで、コントローラ（１００）は、苗移植機（１）が１回目の第２旋回動作モードの終了位置（モード終了位置）（Ｐ６）に到達したか否かを判定する（ステップＳ３０６）。コントローラ（１００）は、モード終了位置（Ｐ６）に到達した場合（ステップＳ３０６：Ｙｅｓ）、１回目の第２旋回動作モードの実行を終了し（ステップＳ３０７）、第１旋回動作モードの実行を開始する（ステップＳ３０８）。
【０１４７】
コントローラ（１００）は、（ステップ３０６）の処理において苗移植機（１）がモード終了位置（Ｐ５）に到達しない場合（ステップＳ３０６：Ｎｏ）、モード終了位置（Ｐ６）に到達するまでかかる処理を繰り返す。
【０１４８】
次いで、コントローラ（１００）は、苗移植機（１）が第１旋回動作モードの終了位置（モード終了位置）（Ｐ７）に到達したか否かを判定する（ステップＳ３０９）。コントローラ（１００）は、モード終了位置（Ｐ７）に到達した場合（ステップＳ３０９：Ｙｅｓ）、第１旋回動作モードの実行を終了し（ステップＳ３１０）、第２旋回動作モード（２回目）の実行を開始する（ステップＳ３１１）。
【０１４９】
コントローラ（１００）は、ステップ３０９の処理において苗移植機（１）がモード終了位置（Ｐ７）に到達しない場合（ステップＳ３０９：Ｎｏ）、モード終了位置（Ｐ７）に到達するまでかかる処理を繰り返す。
【０１５０】
次いで、コントローラ（１００）は、苗移植機（１）が２回目の第２旋回動作モードの終了位置でもある旋回終了位置（Ｐ２）に到達したか否かを判定する（ステップＳ３１２）。コントローラ（１００）は、旋回終了位置（Ｐ２）に到達した場合（ステップＳ３１２：Ｙｅｓ）、２回目の第２旋回動作モードの実行を終了し（ステップＳ３１３）、旋回動作モードを終了する。
【０１５１】
コントローラ（１００）は、（ステップＳ３１２）の処理において苗移植機（１）が旋回終了位置（Ｐ２）に到達しない場合（ステップＳ３１２：Ｎｏ）、旋回終了位置（Ｐ２）に到達するまでかかる処理を繰り返す。コントローラ（１００）は、旋回動作モードを終了すると、自動直進モードの実行を開始する。
【０１５２】
ここで、コントローラ（１００）は、第１旋回動作モードから２回目の第２旋回動作モードに移行する場合、機体の向きが次の条の直進走行経路（Ｌ１）に対して、たとえば０〜２０度範囲内に入るようステアリングモータ（９５）を制御する。コントローラ（１００）は、２回目の第２旋回動作モードの開始時に機体の向きを０〜２０度範囲内に入れておくことで、２回目の第２旋回動作モードにおいて位置取得装置（１５０）（図３参照）が取得する位置情報に基づいて直進走行経路（Ｌ１）に沿うよう機体の向きを補正して旋回動作を完了する。
【０１５３】
また、第３実施形態においても、第１および第２実施形態と同様、第１旋回動作モードの終了位置（Ｐ７）は、回転数センサ（９０）（図３参照）によりカウントされた後輪（１１）（図１参照）の回転数に基づいて設定される。コントローラ（１００）は、図１２に示す（ステップＳ３０８）の処理において、第１旋回動作モードの実行を開始すると、これに伴い、後輪（１１）の回転数のカウントを開始し、後輪（１１）の回転数が所定のカウント値になったか否かを判定する。
【０１５４】
コントローラ（１００）は、後輪（１１）の回転数が所定のカウント値になった場合、モード終了位置（Ｐ７）に到達したと判断して第１旋回動作モードの実行を終了するとともに２回目の第２旋回動作モードを実行する。コントローラ（１００）は、後輪（１１）の回転数が所定のカウント値でない場合、所定のカウント値になるまでかかる処理を繰り返す。
【０１５５】
なお、コントローラ（１００）は、旋回動作初期の後進走行においても、走行車輪である後輪（１１）の回転数に基づいて旋回開始位置（Ｐ１）に到達したか否かを判定する。
【０１５６】
以上説明した第３実施形態によれば、第１および第２実施形態と同様、苗移植機（１）の旋回開始時には第１旋回動作モードを実行し、旋回終了時には第２旋回動作モードを実行することで、より簡素な制御で自動旋回を行うことができる。
【０１５７】
また、１回目の第２旋回動作モードの終了後である旋回途中の機体直進時に第１旋回動作モードを実行するため、第１旋回動作モードにおける後輪（１１）のスリップによる走行誤差を減らすことができ、旋回行程の全体として、自動旋回を正確に行うことができる。
【０１５８】
また、第１旋回動作モードの開始に伴い後輪（１１）の回転数のカウントを開始し、後輪（１１）の回転数が所定のカウント値になると２回目の第２旋回動作モードに移行するため、自動旋回中に位置情報を用いる制御が一部でよくなり、簡素な制御で自動旋回を行うことができる。
【０１５９】
また、旋回終了位置（Ｐ２）に向けた２回目の第２旋回動作モードが終了するとそのまま自動直進モードに移行して自動直進を開始するため、作業を継続的に行うことができ、作業性を向上させることができる。
【０１６０】
なお、第３実施形態においても、変形例として、たとえば、第１旋回動作モードを実行してから第２旋回動作モードを実行し、再度第１旋回動作モードを実行して旋回終了位置（Ｐ２）に到達させてもよい。
【０１６１】
また、第１旋回動作モードおよび第２旋回動作モードをそれぞれ２回以上実行する自動旋回モードとしてもよい。
【０１６２】
なお、第１〜第３実施形態において、コントローラ（１００）は、自動旋回モードでは、苗移植機１の走行速度に上限値を設定して車速を制限することが好ましい。これにより、旋回動作が安定して安全性を確保することができる。また、コントローラ（１００）は、位置取得装置（１５０）からの位置情報に基づいて旋回終了と判断すると、車速の制限を解除して変速操作レバー（ＨＳＴレバー）（３６）の位置に応じた車速とする。
【０１６３】
また、第１〜第３実施形態において、コントローラ（１００）は、後輪（１１）の回転数を変更可能に設定する。また、コントローラ（１００）は、自動直進モードまたは自動旋回モードの実行中に操縦者によりアシストレバーが「上げ」操作された場合には、それぞれのモードを解除する。
【０１６４】
また、第１〜第３実施形態において、コントローラ（１００）は、自動旋回モードの実行中において操縦者によりＺターンを「ＯＦＦ」にするよう操作された場合には、自動旋回モードを解除する。また、コントローラ（１００）は、自動旋回モードの実行中において操縦者により線引きマーカ自動昇降スイッチ（４９）（図３参照）が「ＯＦＦ」操作された場合には、自動旋回モードを解除する。
【０１６５】
また、第１〜第３実施形態において、コントローラ（１００）は、自動旋回モードの実行中において操縦者によりＨＳＴレバー（変速操作レバー）（３６）（図３参照）が「後進」側に操作された場合には、自動旋回モードを解除する。また、コントローラ（１００）は、自動旋回モードの実行中において操縦者によりハンドル（３５）（図３参照）が操作された場合には、自動旋回モードを解除する。
【０１６６】
また、第１〜第３実施形態において、コントローラ（１００）は、自動旋回モードの実行中において苗移植機（１）が停止したりエンジン（３０）（図１参照）が停止した場合には、自動旋回モードを一時中断（保留）する。また、コントローラ（１００）は、自動旋回モードの実行中において苗移植機（１）が停止したりエンジン（３０）が停止した場合に自動旋回モードを中止するよう制御してもよい。
【０１６７】
また、第１〜第３実施形態において、コントローラ（１００）は、畦際警報解除スイッチが押されると、畦際警報作動時に畦際停止を解除する。また、コントローラ（１００）は、自動旋回が可能か否かをモニタ（８６）（図３参照）に表示させてもよい。なお、コントローラ（１００）は、自動旋回が不可能な場合には、たとえば、モニタ（８６）にアラートを表示させてもよい。
【０１６８】
また、第３実施形態において、コントローラ（１００）は、苗移植機（１）が後進中に停車しても、自動旋回モードを中止しない。これにより、たとえば、苗つなぎなどのアクシデントにより後進時に停車しても、自動旋回を継続することができる。
【０１６９】
また、第１〜第３実施形態において、自動旋回モード（第３実施形態においては、自動旋回モードのうち後進動作を除いた動作）を、第１旋回動作モードのみで完了するよう構成してもよいし、第２旋回動作モードのみで完了するよう構成してもよい。
【０１７０】
また、第１〜第３実施形態において、自動旋回の開始は、苗植付部（４）を昇降させる昇降動作の「上げ動作」が行われるタイミングであってもよい。すなわち、自動旋回スイッチ（４８）は、操縦者の操作によって苗植付部（４）を上昇させるスイッチであってもよく、苗植付部（４）の上昇を検知、または苗植付部（４）を上昇させる制御の開始を検知する検知部であってもよい。
【０１７１】
また、自動旋回の開始は、苗植付装置（５５）への動力伝達が「切り」になるタイミングや、施肥装置（５）の繰出装置（７１）が停止するタイミングや、整地ロータ（６３）への動力伝達が「切り」になるタイミングであってもよい。
【０１７２】
このように、自動旋回を開始するタイミングは、苗植付部（４）などの圃場作業装置の駆動が「切り」になるタイミングであればよい。
【０１７３】
また、作業車両（１）は、トラクターであってもよい。この場合、圃場作業装置は、ロータリなどである。トラクターの旋回においても、上記旋回制御を適用することができる。
【０１７４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１７５】
１    苗移植機（作業車両）
２    走行車体
１０    前輪（走行車輪）
３５    ハンドル（ステアリング装置）
４８    自動旋回スイッチ（旋回開始操作部）
９０    回転数センサ（検出装置）
９５    ステアリングモータ（モータ）
１００    コントローラ（制御装置）
１５０    位置取得装置
Ｌ１    直進走行経路
Ｌ２    旋回走行経路
Ｐ１    旋回開始位置
Ｐ２    旋回終了位置
【図１】
2020174663.tif 000003
【図２】
2020174663.tif 000004
【図３】
2020174663.tif 000005
【図４】
2020174663.tif 000006
【図５】
2020174663.tif 000007
【図６】
2020174663.tif 000008
【図７】
2020174663.tif 000009
【図８】
2020174663.tif 000010
【図９】
2020174663.tif 000011
【図１０】
2020174663.tif 000012
【図１１】
2020174663.tif 000013
【図１２】
2020174663.tif 000014
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
走行車体に取り付けられた走行車輪と、
前記走行車輪の操舵量を調整するステアリング装置と、
前記ステアリング装置を駆動するモータと、
測位手段から測位情報を受け取り、受け取った測位情報に基づいて機体の現在の位置情報を取得する位置取得装置と、
前記モータを制御する制御装置と、を備え、
前記制御装置は、機体の旋回中において、前記位置情報に関わらず前記操舵量が所定の値になるよう前記モータを制御して実行する第１旋回動作モードと、前記位置情報に基づいて、旋回走行経路上における所望の方位に機体が到達するよう前記モータを制御して実行する第２旋回動作モードと、を有すること
を特徴とする作業車両。
【請求項２】
前記制御装置は、機体の旋回開始時には前記第２旋回動作モードを実行し、前記第２旋回動作モードが終了すると前記第１旋回動作モードを実行し、前記第１旋回動作モードが終了すると前記第２旋回動作モードを実行すること
を特徴とする請求項１に記載の作業車両。
【請求項３】
前記走行車輪の回転数を検出する検出装置をさらに備え、前記検出装置は、前記第１旋回動作モードの開始に伴い前記回転数の検出を開始し、前記制御装置は、前記回転数が所定の値になると前記第２旋回動作モードに移行すること
を特徴とする請求項１に記載の作業車両。
【請求項４】
前記制御装置（１００）は、直進走行経路（Ｌ１）に沿って機体を走行させる自動直進モードを有し、所望の旋回終了位置（Ｐ２）に向けた前記第２旋回動作モードが終了すると前記自動直進モードに移行することを特徴とする請求項２または３に記載の作業車両。
【手続補正２】
【補正対象書類名】明細書
【補正対象項目名】全文
【補正方法】変更
【補正の内容】
【発明の詳細な説明】
【技術分野】
【０００１】
本発明は、作業車両に関する。
【背景技術】
【０００２】
従来、圃場を走行しながら作業を行う作業車両には、作業開始位置と作業終了位置との位置情報を取得し、取得した位置情報から基準線を作成し、作成した基準線に沿って自動走行するものがある（たとえば、特許文献１参照）。
【先行技術文献】
【特許文献】
【０００３】
【特許文献１】特開２０１６−２１８９０号公報
【発明の概要】
【発明が解決しようとする課題】
【０００４】
上記したような作業車両において、取得した位置情報に基づいて自動旋回させることが考えられる。しかしながら、自動旋回させる場合、旋回行程の全てにわたり位置情報を用いる必要があり、制御が複雑になる。
【０００５】
本発明は、上記に鑑みてなされたものであって、簡素な制御で自動旋回を行うことができる作業車両を提供することを目的とする。
【課題を解決するための手段】
【０００６】
上述した課題を解決し、目的を達成するために、請求項１に記載の作業車両（１）は、走行車体（２）に取り付けられた走行車輪（１０，１１）と、前記走行車輪（１０）の操舵量を調整するステアリング装置（３５）と、前記ステアリング装置（３５）を駆動するモータ（９５）と、測位手段から測位情報を受け取り、受け取った測位情報に基づいて機体の現在の位置情報を取得する位置取得装置（１５０）と、前記モータ（９５）を制御する制御装置（１００）と、を備え、前記制御装置（１００）は、機体の旋回中において、前記位置情報に関わらず前記操舵量が所定の値になるよう前記モータ（９５）を制御して実行する第１旋回動作モードと、前記位置情報に基づいて、旋回走行経路（Ｌ２）上における所望の方位に機体が到達するよう前記モータ（９５）を制御して実行する第２旋回動作モードと、を有することを特徴とする。
【０００７】
（削除）
【０００８】
請求項２に記載の作業車両（１）は、請求項１に記載の作業車両（１）において、前記制御装置（１００）は、機体の旋回開始時には前記第２旋回動作モードを実行し、前記第２旋回動作モードが終了すると前記第１旋回動作モードを実行し、前記第１旋回動作モードが終了すると前記第２旋回動作モードを実行することを特徴とする。
【０００９】
請求項３に記載の作業車両（１）は、請求項１または２に記載の作業車両（１）において、前記走行車輪（１１）の回転数を検出する検出装置（９０）をさらに備え、前記検出装置（９０）は、前記第１旋回動作モードの開始に伴い前記回転数の検出を開始し、前記制御装置（１００）は、前記回転数が所定の値になると前記第２旋回動作モードに移行することを特徴とする。
【００１０】
（削除）
【００１１】
請求項４に記載の作業車両（１）は、請求項１〜３のいずれか１項に記載の作業車両（１）において、前記制御装置（１００）は、直進走行経路（Ｌ１）に沿って機体を走行させる自動直進モードを有し、所望の旋回終了位置（Ｐ２）に向けた前記第２旋回動作モードが終了すると前記自動直進モードに移行することを特徴とする。
【発明の効果】
【００１２】
請求項１に記載の発明によれば、機体の旋回中において位置情報に基づいた動作モードではない第１旋回動作モードを実行するため、自動旋回に係る制御の全てに位置情報を用いる必要がなくなり、すなわち、自動旋回中に位置情報を用いる制御が一部でよくなり、簡素な制御で自動旋回を行うことができる。
【００１３】
（削除）
【００１４】
請求項２に記載の発明によれば、請求項１に記載の発明の効果に加えて、機体の旋回開始時に実行する第２旋回動作モードの終了後である旋回途中の機体の直進時に第１旋回動作モードを実行するため、第１旋回動作モードにおける、たとえば、走行車輪のスリップによる走行誤差を減らすことができ、旋回行程の全体として、自動旋回を正確に行うことができる。
【００１５】
請求項３に記載の発明によれば、請求項１または２に記載の発明の効果に加えて、第１旋回動作モードの開始に伴い走行車輪の回転数の検出（カウント）を開始し、走行車輪の回転数が所定の値になると第２旋回動作モードに移行するため、上記同様、自動旋回中に位置情報を用いる制御が一部でよくなり、簡素な制御で自動旋回を行うことができる。
【００１６】
（削除）
【００１７】
請求項４に記載の発明によれば、請求項１〜３に記載の発明の効果に加えて、所望の旋回終了位置に向けた第２旋回動作モード（機体の旋回中において第２旋回動作モードを２回以上行う場合は、最後の第２旋回動作モード）が終了するとそのまま自動直進モードに移行して自動直進を開始するため、作業を継続的に行うことができ、作業性を向上させることができる。
【図面の簡単な説明】
【００１８】
【図１】図１は、作業車両の一例を示す側面図である。
【図２】図２は、作業車両の一例を示す平面図である。
【図３】図３は、制御装置を中心とした制御系を示すブロック図である。
【図４】図４は、作業車両の圃場における自律走行の説明図である。
【図５】図５は、第１実施形態に係る自動旋回制御の説明図である。
【図６】図６は、第１実施形態に係る自動旋回制御の処理手順を示すフローチャートである。
【図７】図７は、自動旋回制御を開始する制御の処理手順を示すフローチャートである。
【図８】図８は、第１旋回動作モードから第２旋回動作モードに移行する制御の処理手順を示すフローチャートである。
【図９】図９は、第２実施形態に係る自動旋回制御の説明図である。
【図１０】図１０は、第２実施形態に係る自動旋回制御の処理手順を示すフローチャートである。
【図１１】図１１は、第３実施形態に係る自動旋回制御の説明図である。
【図１２】図１２は、第３実施形態に係る自動旋回制御の処理手順を示すフローチャートである。
【発明を実施するための形態】
【００１９】
以下、添付図面を参照して本願の開示する作業車両の実施形態を詳細に説明する。なお、以下に示す実施形態によりこの発明が限定されるものではない。
【００２０】
＜作業車両の概要＞
まず、図１および図２を参照して実施形態に係る作業車両（１）の概要について説明する。
図１は、作業車両（１）を示す側面（左側面）図である。図２は、作業車両（１）を示す平面図である。
【００２１】
なお、以下の説明では、前後方向とは、作業車両（１）の直進時における進行方向であり、進行方向の前方側を「前」、後方側を「後」と規定する。作業車両（１）の進行方向とは、直進時において、操縦席（４１）からハンドル（３５）に向かう方向である（図１および図２参照）。
【００２２】
左右方向とは、前後方向に対して水平に直交する方向であり、「前」側へ向けて左右を規定する。すなわち、操縦者（作業者ともいう）が操縦席（４１）に着席して前方を向いた状態で、左手側が「左」、右手側が「右」である。
【００２３】
上下方向とは、鉛直方向である。前後方向、左右方向および上下方向は互いに直交する。各方向は説明の便宜上定義したものであり、これらの方向によって本発明が限定されるものではない。
【００２４】
また、以下の説明では、作業車両１を指して「機体」という場合がある。実施形態では、作業車両を、作業装置として苗植付部（４）を備え、圃場に苗を受け付ける乗用型の苗移植機（１）として説明する。図１および図２に示すように、苗移植機（１）は、走行車体（２）の後側に昇降リンク機構（３）を介して、圃場に苗を植え付ける昇降可能な苗植付部（４）（作業装置）を備える。
【００２５】
走行車体（２）の後部上側には施肥装置（５）の本体部分が配置される。なお、作業車両が苗移植機（１）ではない場合、種子を供給する播種装置などを作業装置として備える場合がある。
【００２６】
走行車体（２）は、走行車輪であり駆動輪である、左右の前輪（１０）および後輪（１１）を備える四輪駆動車両である。走行車体（２）の車体骨格を構成するメインフレーム（１５）の前側には、苗植付部（４）などに駆動力を伝達するミッションケース（１３）と、エンジン（３０）から供給される駆動力、すなわち、エンジン（３０）で発生した回転をミッションケース（１３）に出力する油圧式の無段変速装置（１４）（主変速機構）とが設けられる。
【００２７】
無段変速装置（１４）は、いわゆるＨＳＴ（Hydro  Static  Transmission）と呼ばれる静油圧式の無段変速機である。以下では、無段変速装置がＨＳＴ（１４）である場合を説明する。
【００２８】
ミッションケース（１３）内には、高速モードでの路上走行時や、低速モードでの苗の植え付け時などにおける走行車体（２）の走行モードを切り替える副変速機構（１６）が設けられる。
ミッションケース（１３）の左右側方には、前輪ファイナルケース（１０ａ）が設けられ、左右の前輪ファイナルケース（１０ａ）の操向方向を変更可能な前輪支持部からそれぞれ外向きに突出する左右の前車軸（１０ｂ）に前輪（１０）が取り付けられる。
【００２９】
また、メインフレーム（１５）の後部側には、機体横方向に設けられた後部フレーム（２２）（図２参照）の左右両側に後輪ギアケース（１１ａ）が取付けられ、後輪ギアケース（１１ａ）からそれぞれ外向きに突出する左右の後車軸（１１ｂ）に後輪（１１）（走行車輪）がそれぞれ取り付けられる。
【００３０】
また、後部フレーム（２２）の上部には、昇降リンク機構（３）を支持する左右のリンク支持フレーム（２３）が上方に向けて突設される。左右のリンク支持フレーム（２３）の下部側で、かつ、左右の間には、左右一対のロワリンクアーム（２４）が設けられる。左右のロワリンクアーム（２４）の左右の間に、油圧により作動する昇降シリンダ（２５）（昇降装置）が設けられる。
【００３１】
昇降シリンダ（２５）の上方には、アッパリンクアーム（２６）が設けられ、平行リンク機構である昇降リンク機構（３）が構成される。なお、それぞれ一端が走行車体（２）側に連結された、左右のロワリンクアーム（２４）と、昇降シリンダ（２５）と、アッパリンクアーム（２６）の他端側とは、苗植付部（４）の前部に装着される。
【００３２】
また、メインフレーム（１５）上には、エンジン（３０）が搭載される。エンジン（３０）の回転動力が、ベルト伝動装置（２１）およびＨＳＴ（１４）を介してミッションケース（１３）に伝達される。ミッションケース（１３）に伝達された回転動力は、ミッションケース（１３）内の副変速機構（１６）により変速された後、走行動力と外部取り出し動力に分けられる。
【００３３】
また、エンジン（３０）の回転動力は、図示しない油圧ポンプに伝達される。油圧ポンプで発生した油圧は、ＨＳＴ（１４）や、ハンドル（３５）のパワーステアリング機構（８８）（図３参照）や、昇降シリンダ（２５）などに供給される。
【００３４】
ミッションケース（１３）に伝達された回転動力から取り出される外部取り出し動力は、走行車体（２）の後部に設けられた植付クラッチケース（２７）に伝達され、植付クラッチケース（２７）から植付伝動軸（６７）によって苗植付部（４）に伝達される。
【００３５】
一方、ミッションケース（１３）の後部には、左右のドライブシャフト（４２）が設けられる。エンジン（３０）からの回転動力は、ミッションケース（１３）およびドライブシャフト（４２）を介して左右の後輪ギアケース（１１ａ）に伝動される。
【００３６】
なお、左右のドライブシャフト（４２）よりも伝動方向上手側には、左右のドライブシャフト（４２）に対する動力伝達を入切するサイドクラッチ（４４）（図３参照）が配置される。図１に示すように、操縦席（４１）の前側下部であり、かつ、左右一側には、左右のサイドクラッチ（４４）を入切操作するサイドクラッチペダル（４３ａ）が設けられる。
【００３７】
左右のサイドクラッチペダル（４３ａ）のうち、旋回内側のサイドクラッチペダル（４３ａ）を踏み込んでサイドクラッチ（４４）を切状態にしてからハンドル（３５）を操作して旋回走行すると、旋回内側の後輪（１１）の駆動回転を完全に遮断することができる。
【００３８】
これにより、ハンドル（３５）単独の操作による旋回走行よりも旋回半径を小さくすることができ、圃場条件に適した作業条の作業開始位置を適切に選択可能となって作業精度が向上する。
【００３９】
このように、旋回時に旋回内側の後輪（１１）への伝動を停止させ、旋回半径を小さくすることができ、旋回前の作業位置と旋回後の作業位置が離れることを防止できるので、旋回後の作業開始位置の調整をやり直す操作が不要になり、作業効率や作業精度が向上する。
【００４０】
なお、実施形態では、後述する自動旋回制御において、ハンドル（３５）の操作により走行車体（２）を旋回操作させると、旋回内側に位置するサイドクラッチ（４４）が切状態になり、旋回内側の後輪（１１）への伝動を停止させるように構成されている。
【００４１】
走行車体（２）の前側上部には、各部の操作を行う操縦パネル（３８）を上部に配置されたボンネット（３９）が設けられる。操縦パネル（３８）には、後述する自動旋回制御を行うか否かを切り替える自動旋回スイッチ（４８）や、モニタ（８６）（図３参照）などが設けられる。
【００４２】
また、ボンネット（３９）には、機体を操舵するハンドル（３５）、ＨＳＴ（１４）や苗植付部（４）を操作する変速操作レバー（３６）、副変速機構（１６）を操作する副変速操作レバー（３７）などが設けられる。
【００４３】
また、ボンネット（３９）の前側には、開閉可能なフロントカバー（４０）が設けられる。フロントカバー（４０）の内部には、燃料タンクやバッテリ、ハンドル（３５）の操舵に左右の前輪（１０）および左右の前輪ファイナルケース（１０ａ）の下部側を回動させる連動機構が設けられる。
【００４４】
ボンネット（３９）よりも機体後側で、かつ、エンジン（３０）の上方位置には、エンジン（３０）の上部および側部を覆うエンジンカバー（３０ａ）が設けられ、エンジンカバー（３０ａ）の上部には操縦者が着席する操縦席（４１）が設けられる。
【００４５】
操縦席（４１）の後側であって、メインフレーム（１５）の後端側には、施肥装置（５）が設けられる。施肥装置（５）の駆動力は、左右の後輪ギアケース（１１ａ）の左右一側から施肥装置（５）に臨むように設けられる、施肥伝動機構によって伝達される。
【００４６】
ところで、エンジンカバー（３０ａ）およびボンネット（３９）の下部における左右両側は、略水平なフロアステップ（３３）が形成される。フロアステップ（３３）は、図２に示すように、一部格子状であり、たとえば、フロアステップ（３３）を歩く操縦者の靴などについた泥が落ちても、落ちた泥などが圃場に落下する。
【００４７】
また、フロアステップ（３３）の後方には、図２に示すように、リヤステップ（３３０）が連接される。リヤステップ（３３０）の表面には、作業時に足が滑りにくくなるように、たとえば、複数の突起パターンが形成された滑り止め加工が施されることが好ましい。
【００４８】
また、走行車体（２）の前側であり、かつ、左右両側には、苗枠支柱（５１）に複数の予備苗載せ台（５２）を上下方向に間隔を空けて配置する予備苗枠（５０）がそれぞれ設けられ、苗植付部（４）に補充される苗や肥料袋などの作業資材が載置可能となっている。
【００４９】
また、昇降リンク機構（３）の後端部には、圃場に植え付ける苗を積載する苗タンク（５３）が、左右方向に摺動させる摺動機構と共に装着されている。苗タンク（５３）には、上下方向に長い苗仕切フェンス（５４）を左右方向に所定間隔を空けてそれぞれ配置される。苗タンク（５３）の下方には、積載された苗を掻き取って圃場に植え付ける苗植付装置（５５）が配置される。
【００５０】
苗植付装置（５５）は、苗仕切フェンス（５４）により区切られた植付作業条数と同数、すなわち、８条同時に植え付けるものであり、植付伝動ケース（５６）が苗タンク（５３）の下方に間隔を空けて４つ配置され、植付伝動ケース（５６）の左右両側に回転しながら植込杆（５８）により苗を取って圃場に植え付ける植付ロータリ（５７）がそれぞれ装着される。
【００５１】
施肥装置（５）は、肥料が貯留される施肥ホッパ（７０）が、苗植付部（４）の作業条数と同数（図２に示す例では、８条分）に仕切られている。なお、８条分の施肥ホッパ（７０）は、左右方向に長いため肥料の投入や着脱の利便性が低下するので、４条ずつに仕切られたものを左右にそれぞれ並べる、いわゆるサイド施肥構造であってもよい。
【００５２】
施肥ホッパ（７０）の下部には、肥料を設定量ずつ供給する繰出装置（７１）が１条ごとに設けられる。繰出装置（７１）の下方には、肥料を移動させる搬送風が通過する通風ダクト（７２）が機体の左右方向に設けられる。繰出装置（７１）の下方には、苗植付部（４）の苗植付位置の近傍に肥料を案内する施肥ホース（７３）が設けられる。また、通風ダクト（７２）の機体の一側端部には、ブロア用電動モータ（７６）により作動して搬送風を発生するブロア（７４）が設けられる。
【００５３】
図１および図２に示すように、苗植付部（４）の下方には、圃場面に接地して滑走するセンターフロート（６２Ｃ）と、左右２つずつのサイドフロート（６２Ｌ、６２Ｒ）とが、軸まわりに回動自在に設けられる。なお、センターフロート（６２Ｃ）および左右のサイドフロート（６２Ｌ、６２Ｒ）を総称してフロート（６２）という場合がある。
【００５４】
また、苗植付部（４）の下方において、フロート（６２）よりも機体前側には、圃場面の凹凸を整地する整地ロータ（６３）が設けられる。など、整地ロータ（６３）には、左右他側の後輪ギアケース（１１ａ）からロータ伝動シャフト（６３ａ）を介して駆動力が伝達される。
【００５５】
また、図１に示すように、苗植付部（４）の左右両側には、左右いずれか一方が圃場面に接地して、次の作業条（次工程）における走行の目安とする溝を形成する線引きマーカ（６５）がそれぞれ設けられる。左右の線引きマーカ（６５）は、左右一側が接地すると他側が上方に離間し、旋回時に苗植付部（４）を上昇させたときには左右両側共に上方に離間し、旋回後に苗植付部（４）が下降すると、左右一側が上方に離間して他側が接地する。
【００５６】
また、図１および図２に示すように、走行車体（２）の左右中央部であり、かつ、ボンネット（３９）の前方には、上下方向に長いセンターマスコット（６６）が設けられる。センターマスコット（６６）を左右の線引きマーカ（６５）により圃場に形成された溝に合わせることにより、直前の作業条の作業位置に合わせた走行が可能になり、作業精度の向上や、非作業の発生防止を図ることができる。
【００５７】
なお、圃場の土質によっては、左右の線引きマーカ（６５）により形成されたガイド線がすぐに埋もれてしまい、直進の目安が消えてしまうことがある。このような場合には、左右の線引きマーカ（６５）よりも機体前側に設けられた左右のサイドマーカ（１９）を用いるとよい。すなわち、左右のサイドマーカ（１９）を機体外側方向に移動させ、植え付けられた苗の上方にサイドマーカ（１９）を位置させることで、前の作業条の苗の植え付けに合わせた植付作業が可能になる。
【００５８】
また、図１に示すように、苗移植機（１）は、位置取得装置（１５０）を備える。位置取得装置（１５０）は、ＧＰＳ（Global  Positioning  System）やＧＮＳＳ（Global  Navigation  Satellite  System）などの測位手段から測位情報を受け取り、受け取った測位情報に基づいて機体の現在の位置情報を作成し、取得する。位置取得装置（１５０）は、たとえば、取付ステー（５９）に取り付けられ、走行車体（２）の上方に配置される。
【００５９】
位置取得装置（１５０）による位置情報に基づいて作成される、直進制御用プログラムと、旋回制御用プログラムとは、互いに別の場所に格納される。直進制御用プログラムは、たとえば、位置取得装置（１５０）内の直進制御用ＥＣＵ（Electronic  Control  Unit）（１００ａ）に格納され、旋回制御用プログラムは、たとえば、ボンネット（３９）に収容された旋回制御用ＥＣＵ（１００ｂ）に格納される。なお、直進制御用ＥＣＵ（１００ａ）および旋回制御用ＥＣＵ（１００ｂ）は、後述する制御装置（１００）（図３参照）に含まれる。
【００６０】
＜作業車両の制御系＞
次に、図３を参照して苗移植機（１）の制御系Ｃについて説明する。図３は、苗移植機（１）における、制御装置（１００）を中心とした制御系Ｃを示すブロック図である。苗移植機（１）は、電子制御によって各部を制御することが可能なものであり、各部を制御する制御装置（以下、コントローラという）（１００）を備える。
【００６１】
コントローラ（１００）は、ＣＰＵ（Central  Processing  Unit）などを有する処理部や、ＲＯＭ（Read  Only  Memory）、ＲＡＭ（Random  Access  Memory）などの記憶部、さらには入出力部が設けられ、これらは、互いに接続されて互いに信号の受け渡しが可能である。記憶部には、苗移植機（１）を制御するコンピュータプログラムなどが格納される。コントローラ（１００）は、記憶部に格納されたコンピュータプログラムなどを読み出すことで、各機能を発揮させる。
【００６２】
コントローラ（１００）には、たとえば、アクチュエータ類として、スロットルモータ（８０）、油圧制御弁（８１，８２）、植付クラッチ作動ソレノイド（８３）、サイドクラッチ作動ソレノイド（８４）、ＨＳＴモータ（８５）、線引きマーカ昇降モータ（８７）、ステアリングモータ（９５）などが接続される。
【００６３】
スロットルモータ（８０）は、エンジン（３０）の吸気量を調節するスロットルを作動させることにより、エンジン（３０）の出力軸の回転数を増減させる。油圧制御弁（８１）は、昇降シリンダ（２５）の伸縮動作を制御する。油圧制御弁（８２）は、パワーステアリング機構（８８）を制御する。植付クラッチ作動ソレノイド（８３）は、植付クラッチ（２７ａ）を作動させる。
【００６４】
サイドクラッチ作動ソレノイド（８４）は、後輪（１１）への動力伝達状態を切り替えるサイドクラッチ（４４）を作動させる。なお、サイドクラッチ（４４）は、左右の後輪（１１）にそれぞれ設けられ、サイドクラッチ作動ソレノイド（８４）は、各サイドクラッチ（４４）に対応して２つ設けられる。
【００６５】
ＨＳＴモータ（８５）は、ＨＳＴ（１４）のトラニオンの回動角度を変更することで、ＨＳＴ（１４）の斜板の傾斜角を変更する。ステアリングモータ（９５）は、自動旋回制御が行われる場合に、走行車輪である前輪（１０）（図１参照）の操舵量（舵角）を調整するステアリング装置であるハンドル（３５）を駆動するモータである。ステアリングモータ（９５）は、ハンドル（３５）を回動させる。線引きマーカ昇降モータ（８７）は、線引きマーカ（６５）を昇降させる。
【００６６】
また、コントローラ（１００）には、検出装置である、回転数センサ（９０）、操舵量センサ（９１）、傾斜センサ（９２）などが接続される。回転数センサ（９０）は、走行車輪である左右の後輪（１１）に対応して２つ設けられ、左右の後輪（１１）の回転数をそれぞれ検出する。なお、回転数センサ（９０）は、左右の前輪（１０）の回転数を検出してもよい。
【００６７】
操舵量センサ（９１）は、ステアリング装置であるハンドル（３５）の操作量、すなわち、前輪（１０）の操舵量（舵角）を検出する。なお、操舵量は、ハンドル（３５）の操作量がゼロの場合を基準として、すなわち、走行車体（２）の直進走行時を基準として、左右方向それぞれで検出される。傾斜センサ（９２）は、走行車体（２）の傾きである傾斜角を検出する。
【００６８】
また、コントローラ（１００）には、操作信号として、変速操作レバー（３６）、副変速操作レバー（３７）、植付部自動昇降スイッチ（４７）、自動旋回スイッチ（４８）、線引きマーカ自動昇降スイッチ（４９）などから信号が入力される。
【００６９】
植付部自動昇降スイッチ（４７）は、ハンドル（３５）の操作量、すなわち、前輪（１０）の操舵量に連動して苗植付部（４）を自動的に昇降させるか否かを切り替えるスイッチである。植付部自動昇降スイッチ（４７）が「ＯＮ」の場合には、操舵量に連動して苗植付部（４）を自動的に昇降させる制御が実行される。一方、植付部自動昇降スイッチ（４７）が「ＯＦＦ」の場合には、操舵量に連動して苗植付部（４）を自動的に昇降させる制御は、実行されない。
【００７０】
線引きマーカ自動昇降スイッチ（４９）は、ハンドル（３５）の操作量、すなわち、前輪（１０）の操舵量に連動して線引きマーカ（６５）を自動的に昇降させるか否かを切り替えるスイッチである。線引きマーカ自動昇降スイッチ（４９）が「ＯＮ」の場合には、操舵量に連動して線引きマーカ（６５）を自動的に昇降させる制御が実行される。一方、線引きマーカ自動昇降スイッチ（４９）が「ＯＦＦ」の場合には、操舵量に連動して線引きマーカ（６５）を自動的に昇降させる制御は、実行されない。
【００７１】
自動旋回スイッチ（４８）は、ランプ付きの跳ね返りスイッチであり、自動旋回を開始または中止するかを切り替えるスイッチである。自動旋回スイッチ（４８）は、操縦者により「ＯＮ」にされて自動旋回が行われている間は点灯し、自動旋回が終了すると、「ＯＦＦ」になり、消灯する。また、自動旋回スイッチ（４８）は、自動旋回中に操縦者により「ＯＦＦ」にされ、自動旋回が中止されると、消灯する。これにより、自動旋回を行っているか否かを、操縦者が認識可能となる。
【００７２】
また、コントローラ（１００）には、位置取得装置（１５０）から機体の現在の位置情報が入力される。コントローラ（１００）は、位置情報に基づいて、機体が自動で走行しながら作業を行う自律走行モードを実行する。コントローラ（１００）を中心として、自動旋回スイッチ（４８）、回転数センサ（９０）、操舵量センサ（９１）、ステアリングモータ（９５）、ハンドル（３５）および位置取得装置（１５０）は、後述する自動旋回モードの制御系（Ｃ）を構成している。
【００７３】
＜自律走行モード＞
ここで、図４を参照して、苗移植機（１）による、圃場における自動旋回を含む自動走行（自律走行）について説明する。図４は、作業車両（苗移植機（１））の圃場における自律走行の説明図である。コントローラ（１００）（図３参照）は、前輪（１０）（図１参照）の操舵量をフィードバックしながらステアリングモータ（９５）（図３参照）を制御してハンドル（３５）（図３参照）を操作する自律走行モードを有する。自律走行モードは、自動直進モードと、自動旋回モードとを含む。
【００７４】
図４に示すように、自律走行モードにおいては、苗移植機（１）は、圃場（Ｆ）において、予定走行経路に沿って直進および旋回を繰り返しながら苗の植え付け作業を自動で行う。なお、コントローラ（１００）は、上記したように、走行車体（２）の上方に配置された位置取得装置（１５０）によって苗移植機（１）の現在の位置情報を取得する。
【００７５】
苗移植機（１）は、圃場（Ｆ）における所定の作業エリア内を往復しながら、苗の植付を行う。この場合、直進走行については、コントローラ（１００）が自動直進モードを実行することにより、設定された直進走行経路（Ｌ１）に沿って自動走行を行う。また、旋回走行については、コントローラ（１００）が自動旋回モードを実行することにより、設定された旋回走行経路（Ｌ２）に沿って自動旋回を行う。
【００７６】
直進走行経路（Ｌ１）は、走行基準となる基準線（Ｌ０）に対して平行である。基準線（Ｌ０）は、苗の植え付け方向にあわせて、圃場（Ｆ）において設定される。コントローラ（１００）は、直進走行の開始位置および終了位置をそれぞれ基準始点（Ａ点）および基準終点（Ｂ点）として取得し、Ａ点およびＢ点を結ぶ線分を基準線（Ｌ０）として登録する。
【００７７】
また、コントローラ（１００）は、自動旋回モードとして、第１旋回動作モードと、第２旋回動作モードとを有する。コントローラ（１００）は、第１旋回動作モードおよび第２旋回動作モードを組み合わせることで、自動旋回モードとして実行する。なお、コントローラ（１００）は、自動旋回スイッチ（４８）が操縦者により「ＯＮ」されると、自動旋回モードを実行する。
【００７８】
第１旋回動作モードでは、コントローラ（１００）は、苗移植機（１）の旋回中において、ハンドル（３５）の操舵量が所定の値になるようステアリングモータ（９５）を制御する。この場合、コントローラ（１００）は、位置取得装置（１５０）が取得した位置情報に関わらず処理を実行する。
【００７９】
第２旋回動作モードでは、コントローラ（１００）は、苗移植機１の旋回中において、位置取得装置（１５０）が取得した位置情報に基づいて、旋回走行経路（Ｌ２）上のいずれか所望の位置に苗移植機（１）が到達するようステアリングモータ（９５）を制御する。
【００８０】
このように、コントローラ（１００）が、第１旋回動作モードおよび第２旋回動作モードを有し、機体の旋回中において位置情報に基づいた動作モードではない第１旋回動作モードを実行するため、自動旋回に係る制御の全てに位置情報を用いる必要がない。このため、自動旋回中に位置情報を用いる制御が一部でよくなり、簡素な制御で自動旋回を行うことができる。
【００８１】
なお、コントローラ（１００）は、自動旋回モードでは、苗移植機（１）の旋回中において旋回走行経路（Ｌ２）からずれて旋回（大回りまたは小回り）している場合には、位置取得装置（１５０）が取得した位置情報に基づいて補正する。
【００８２】
＜第１実施形態に係る自動旋回モード＞
次に、図５〜図８を参照して第１実施形態に係る自動旋回モードについて説明する。図５は、第１実施形態に係る自動旋回制御（自動旋回モード）の説明図である。図６は、第１実施形態に係る自動旋回制御（自動旋回モード）の処理手順を示すフローチャートである。
【００８３】
また、図７は、自動旋回制御（自動旋回モード）を開始する制御の処理手順を示すフローチャートである。図８は、第１旋回動作モードから第２旋回動作モードに移行する制御の処理手順を示すフローチャートである。
【００８４】
図５に示すように、第１実施形態に係る自動旋回モードでは、自動直進モードで進行してきた苗移植機１は、予め設定された所望の旋回開始位置（苗移植機１などの農業機械の場合は、１条における作業終了位置でもある）Ｐ１に近づいた位置で操縦者により自動旋回スイッチ（４８）（図３参照）が押されると、自動旋回を開始する。
【００８５】
自動旋回を開始すると、苗移植機（１）は、第１旋回動作モードによる進行を開始する。第１旋回動作モードでは、苗移植機（１）は、旋回走行経路（Ｌ２）に沿って進行し、旋回走行経路（Ｌ２）上の終了位置（モード終了位置）Ｐ３で第１旋回動作モードによる進行を終了する。苗移植機（１）は、第１旋回動作モードによる進行を終了すると、第２旋回動作モードによる進行を開始する。
【００８６】
第２旋回動作モードでは、苗移植機１は、予め設定された所望の旋回終了位置（苗移植機（１）などの農業機械の場合は、次の条における作業開始位置でもある）Ｐ２において次の条の直進走行経路（Ｌ１）に沿うように徐々に位置を補正しながら進行（直進）し、第２旋回動作モードによる進行を終了すると、自動直進モードで次の条における進行を開始する。
【００８７】
図６に示すように、第１実施形態では、コントローラ（１００）は、自動旋回スイッチ（４８）が「ＯＮ」操作されたか否かを判定する（ステップＳ１０１）。コントローラ（１００）は、自動旋回スイッチ（４８）が「ＯＮ」操作された場合（ステップＳ１０１：Ｙｅｓ）、苗移植機（１）が旋回開始位置（Ｐ１）に到達したか否かを判定する（ステップＳ１０２）。コントローラ（１００）は、旋回開始位置（Ｐ１）に到達したと判定すると（ステップＳ１０２：Ｙｅｓ）、第１旋回動作モードの実行を開始する（ステップＳ１０３）。
【００８８】
コントローラ（１００）は、（ステップ１０１）の処理において自動旋回スイッチ（４８）が「ＯＮ」操作されない場合（ステップＳ１０１：Ｎｏ）、「ＯＮ」操作されるまでかかる処理を繰り返す。また、コントローラ（１００）は、（ステップ１０２）の処理において苗移植機（１）が旋回開始位置（Ｐ１）に到達していない場合（ステップＳ１０２：Ｎｏ）、旋回開始位置（Ｐ１）に到達するまでかかる処理を繰り返す。
【００８９】
次いで、コントローラ（１００）は、苗移植機（１）が第１旋回動作モードの終了位置（モード終了位置）（Ｐ３）に到達したか否かを判定する（ステップＳ１０４）。コントローラ（１００）は、モード終了位置（Ｐ３）に到達した場合（ステップＳ１０４：Ｙｅｓ）、第１旋回動作モードの実行を終了し（ステップＳ１０５）、第２旋回動作モードの実行を開始する（ステップＳ１０６）。
【００９０】
コントローラ（１００）は、（ステップ１０４）の処理において苗移植機（１）がモード終了位置（Ｐ３）に到達しない場合（ステップＳ１０４：Ｎｏ）、モード終了位置（Ｐ３）に到達するまでかかる処理を繰り返す。
【００９１】
次いで、コントローラ（１００）は、苗移植機（１）が第２旋回動作モードの終了位置でもある旋回終了位置（Ｐ２）に到達したか否かを判定する（ステップＳ１０７）。コントローラ１００は、旋回終了位置（Ｐ２）に到達した場合（ステップＳ１０７：Ｙｅｓ）、第２旋回動作モードの実行を終了し（ステップＳ１０８）、旋回動作モードを終了する。
【００９２】
ここで、コントローラ（１００）は、第１旋回動作モードにおいて、たとえば、機体の向きが直進走行時を０度として左右いずれか旋回する側に、たとえば７０度になるようステアリングモータ（９５）（図３参照）を制御する。コントローラ（１００）は、機体の向きが７０度になると、直進走行に戻し始めるよう、すなわち、機体の向きが９０度になるようステアリングモータ（９５）を制御する。
【００９３】
コントローラ（１００）は、第１旋回動作モードから第２旋回動作モードに移行する場合、機体の向きが次の条の直進走行経路（Ｌ１）に対して、たとえば０〜２０度範囲内に入るようステアリングモータ（９５）を制御する。コントローラ（１００）は、第２旋回動作モードの開始時に機体の向きを０〜２０度範囲内に入れておくことで、第２旋回動作モードにおいて位置取得装置（１５０）（図３参照）が取得する位置情報に基づいて直進走行経路（Ｌ１）に沿うよう機体の向きを補正して旋回動作を完了する。
【００９４】
コントローラ（１００）は、（ステップＳ１０７）の処理において苗移植機１が旋回終了位置Ｐ２に到達しない場合（ステップＳ１０７：Ｎｏ）、旋回終了位置（Ｐ２）に到達するまでかかる処理を繰り返す。コントローラ（１００）は、旋回動作モードを終了すると、自動直進モードの実行を開始する。
【００９５】
また、図７に示すように、コントローラ（１００）は、図６に示す（ステップＳ１０１）の処理において、自動直進モードによる進行中、位置取得装置（１５０）が取得した位置情報に基づいて、苗移植機（１）の現在位置から旋回開始位置（Ｐ１）までの距離が所定の距離Ｄ以下であるか否かを判定する（ステップＳ１０１１）。コントローラ（１００）は、測位情報に基づいて走行距離を算出し、苗移植機（１）の現在位置から旋回開始位置（Ｐ１）までの距離が所定の距離Ｄ以下であるか否かを判定する。なお、コントローラ（１００）は、走行車輪の回転数に基づいて走行距離を算出してもよい。
【００９６】
コントローラ（１００）は、今回の直進走行時における植付工程よりも１つ前の植付工程である前工程における走行距離に基づいて上記判定を行う。
【００９７】
今回の植付工程における旋回開始位置（Ｐ１）は、今回の植付工程において、前工程における走行距離分、進んだ付近であると予測することができる。例えば、今回の植付工程において実際に旋回が開始される位置は、前工程における走行距離に対して、±５ｍ程度の範囲内であると予測することができる。
【００９８】
そのため、コントローラ（１００）は、前工程における走行距離に基づいて旋回開始位置（Ｐ１）を予測する。具体的には、コントローラ（１００）は、今回の植付工程において直進した距離が、前工程における走行距離となる位置を旋回開始位置（Ｐ１）と予測し、苗移植機（１）の現在位置から旋回開始位置（Ｐ１）までの距離が所定の距離Ｄ以下である場合に、旋回位置付近、すなわち畦際であると判定する。
【００９９】
なお、旋回開始位置（Ｐ１）は、測位情報に基づいた座標によって認識されてもよい。
【０１００】
コントローラ（１００）は、旋回開始位置（Ｐ１）までの距離が所定の距離Ｄ以下である場合（ステップＳ１０１１：Ｙｅｓ）、自動旋回スイッチ（４８）が「ＯＮ」操作されると、第１旋回動作モードを実行する（ステップＳ１０１２）。
【０１０１】
コントローラ（１００）は、（ステップＳ１０１１）の処理において旋回開始位置（Ｐ１）までの距離が所定の距離Ｄを超える場合（ステップＳ１０１１：Ｎｏ）、自動旋回スイッチ（４８）が「ＯＮ」操作されても、第１旋回動作モードを実行しないで（ステップＳ１０１３）、自動直進モードを継続する。
【０１０２】
また、第１旋回動作モードの終了位置（Ｐ３）は、回転数センサ（９０）（図３参照）により検出（カウント）された後輪（１１）（図１参照）の回転数に基づいて設定される。図８に示すように、コントローラ（１００）は、図６に示す（ステップＳ１０３）の処理において、第１旋回動作モードの実行を開始すると、これに伴い、後輪（１１）の回転数のカウントを開始し（ステップＳ１０３１）、後輪（１１）の回転数が所定の値（カウント値）になったか否かを判定する（ステップＳ１０３２）。
【０１０３】
コントローラ（１００）は、後輪（１１）の回転数が所定のカウント値になった場合（ステップＳ１０３２：Ｙｅｓ）、終了位置（Ｐ３）に到達したと判断して第１旋回動作モードの実行を終了するとともに第２旋回動作モードを実行する（ステップＳ１０３３）。コントローラ（１００）は、（ステップＳ１０３２）の処理において後輪（１１）の回転数が所定のカウント値でない場合（ステップＳ１０３２：Ｎｏ）、所定のカウント値になるまでかかる処理を繰り返す。
【０１０４】
以上説明した第１実施形態によれば、苗移植機１の旋回開始時には第１旋回動作モードを実行し、旋回終了時には第２旋回動作モードを実行することで、より簡素な制御で自動旋回を行うことができる。
【０１０５】
また、第１旋回動作モードの開始に伴い後輪（１１）の回転数のカウントを開始し、後輪（１１）の回転数が所定のカウント値になると第２旋回動作モードに移行するため、自動旋回中に位置情報を用いる制御が一部でよくなり、簡素な制御で自動旋回を行うことができる。
【０１０６】
また、苗移植機（１）の現在位置から旋回開始位置（Ｐ１）まで距離が短い場合には自動旋回スイッチ（４８）が「ＯＮ」操作されると第１旋回動作モードを実行する。一方、苗移植機（１）の現在位置から旋回開始位置（Ｐ１）まで距離が長い場合には自動旋回スイッチ（４８）が操作されても第１旋回動作モードを実行しない。このように、たとえば、圃場の中央付近などの旋回開始位置（Ｐ１）以外で自動旋回スイッチ（４８）が操作（すなわち、誤操作）されても第１旋回動作モードを実行しないことで、誤操作を防止することができる。
【０１０７】
また、旋回終了位置（Ｐ２）に向けた第２旋回動作モードが終了するとそのまま自動直進モードに移行して自動直進を開始するため、作業を継続的に行うことができ、作業性を向上させることができる。
【０１０８】
なお、第１実施形態では、第１旋回動作モードを実行してから第２旋回動作モードを実行するが、変形例として、たとえば、第２旋回動作モードを実行してから第１旋回動作モードを実行して旋回終了位置（Ｐ２）に到達させてもよい。
【０１０９】
＜第２実施形態に係る自動旋回モード＞
次に、図９および図１０を参照して第２実施形態に係る自動旋回モードについて説明する。図９は、第２実施形態に係る自動旋回制御（自動旋回モード）の説明図である。図１０は、第２実施形態に係る自動旋回制御（自動旋回モード）の処理手順を示すフローチャートである。
【０１１０】
図９に示すように、第２実施形態に係る自動旋回モードでは、上記した第１実施形態と同様、自動直進モードで進行してきた苗移植機（１）は、予め設定された所望の旋回開始位置（Ｐ１）に近づいた位置で操縦者により自動旋回スイッチ（４８）（図３参照）が押されると、自動旋回を開始する。
【０１１１】
自動旋回を開始すると、苗移植機（１）は、第２旋回動作モード（１回目）による進行を開始し、旋回走行経路（Ｌ２）に沿って進行する。苗移植機（１）は、旋回走行経路（Ｌ２）上の終了位置（モード終了位置）（Ｐ４）で１回目の第２旋回動作モードによる進行を終了する。
【０１１２】
苗移植機（１）は、１回目の第２旋回動作モードによる進行を終了すると、第１旋回動作モードによる進行を開始する。苗移植機（１）は、旋回走行経路（Ｌ２）上のモード終了位置（Ｐ５）で第１旋回動作モードによる進行を終了する。苗移植機（１）は、第１旋回動作モードによる進行を終了すると、再度第２旋回動作モード（２回目）による進行を開始する。
【０１１３】
２回目の第２旋回動作モードでは、苗移植機（１）は、予め設定された所望の旋回終了位置（Ｐ２）において次の条の直進走行経路（Ｌ１）に沿うように徐々に位置を補正しながら進行（直進）し、２回目の第２旋回動作モードによる進行を終了すると、自動直進モードで次の条における進行を開始する。
【０１１４】
図１０に示すように、第２実施形態では、コントローラ（１００）は、自動旋回スイッチ（４８）が「ＯＮ」操作されたか否かを判定する（ステップＳ２０１）。コントローラ（１００）は、自動旋回スイッチ（４８）が「ＯＮ」操作された場合（ステップＳ２０１：Ｙｅｓ）、苗移植機（１）が旋回開始位置（Ｐ１）に到達したか否かを判定する（ステップＳ２０２）。コントローラ（１００）は、旋回開始位置（Ｐ１）に到達したと判定すると（ステップＳ２０２：Ｙｅｓ）、第２旋回動作モード（１回目）の実行を開始する（ステップＳ２０３）。
【０１１５】
コントローラ（１００）は、（ステップ２０１）の処理において自動旋回スイッチ（４８）が「ＯＮ」操作されない場合（ステップＳ２０１：Ｎｏ）、「ＯＮ」操作されるまでかかる処理を繰り返す。また、コントローラ（１００）は、（ステップ２０２）の処理において苗移植機（１）が旋回開始位置（Ｐ１）に到達していない場合（ステップＳ２０２：Ｎｏ）、旋回開始位置（Ｐ１）に到達するまでかかる処理を繰り返す。
【０１１６】
次いで、コントローラ（１００）は、苗移植機（１）が１回目の第２旋回動作モードの終了位置（モード終了位置）（Ｐ４）に到達したか否かを判定する（ステップＳ２０４）。コントローラ（１００）は、モード終了位置（Ｐ４）に到達した場合（ステップＳ２０４：Ｙｅｓ）、１回目の第２旋回動作モードの実行を終了し（ステップＳ２０５）、第１旋回動作モードの実行を開始する（ステップＳ２０６）。
【０１１７】
コントローラ（１００）は、（ステップ２０４）の処理において苗移植機（１）がモード終了位置（Ｐ４）に到達しない場合（ステップＳ２０４：Ｎｏ）、モード終了位置（Ｐ４）に到達するまでかかる処理を繰り返す。
【０１１８】
次いで、コントローラ（１００）は、苗移植機（１）が第１旋回動作モードの終了位置（モード終了位置）（Ｐ５）に到達したか否かを判定する（ステップＳ２０７）。コントローラ（１００）は、モード終了位置（Ｐ５）に到達した場合（ステップＳ２０７：Ｙｅｓ）、第１旋回動作モードの実行を終了し（ステップＳ２０８）、第２旋回動作モード（２回目）の実行を開始する（ステップＳ２０９）。
【０１１９】
コントローラ（１００）は、（ステップ２０７）の処理において苗移植機（１）がモード終了位置（Ｐ５）に到達しない場合（ステップＳ２０７：Ｎｏ）、モード終了位置（Ｐ５）に到達するまでかかる処理を繰り返す。
【０１２０】
次いで、コントローラ（１００）は、苗移植機（１）が２回目の第２旋回動作モードの終了位置でもある旋回終了位置（Ｐ２）に到達したか否かを判定する（ステップＳ２１０）。コントローラ（１００）は、旋回終了位置（Ｐ２）に到達した場合（ステップＳ２１０：Ｙｅｓ）、２回目の第２旋回動作モードの実行を終了し（ステップＳ２１１）、旋回動作モードを終了する。
【０１２１】
コントローラ（１００）は、（ステップＳ２１０）の処理において苗移植機（１）が旋回終了位置（Ｐ２）に到達しない場合（ステップＳ２１０：Ｎｏ）、旋回終了位置（Ｐ２）に到達するまでかかる処理を繰り返す。コントローラ（１００）は、旋回動作モードを終了すると、自動直進モードの実行を開始する。
【０１２２】
ここで、コントローラ（１００）は、第１旋回動作モードから２回目の第２旋回動作モードに移行する場合、機体の向きが次の条の直進走行経路（Ｌ１）に対して、たとえば０〜２０度範囲内に入るようステアリングモータ（９５）を制御する。コントローラ（１００）は、２回目の第２旋回動作モードの開始時に機体の向きを０〜２０度範囲内に入れておくことで、２回目の第２旋回動作モードにおいて位置取得装置（１５０）（図３参照）が取得する位置情報に基づいて直進走行経路（Ｌ１）に沿うよう機体の向きを補正して旋回動作を完了する。
【０１２３】
また、第２実施形態においても、第１実施形態と同様、コントローラ（１００）は、図１０に示す（ステップＳ２０１）の処理において、自動直進モードによる進行中、位置取得装置（１５０）（図３参照）が取得した位置情報に基づいて、苗移植機（１）の現在位置が旋回開始位置（Ｐ１）までの距離が所定の距離（Ｄ）以下であるか否かを判定する。
【０１２４】
コントローラ（１００）は、旋回開始位置（Ｐ１）までの距離が所定の距離（Ｄ）以下である場合、自動旋回スイッチ（４８）が「ＯＮ」操作されると、１回目の第２旋回動作モードを実行する。
【０１２５】
コントローラ（１００）は、旋回開始位置（Ｐ１）までの距離が所定の距離（Ｄ）を超える場合、自動旋回スイッチ（４８）が「ＯＮ」操作されても、第１旋回動作モードを実行しないで、自動直進モードを継続する。
【０１２６】
また、第２実施形態においても、第１実施形態と同様、第１旋回動作モードの終了位置（Ｐ５）は、回転数センサ（９０）（図３参照）によりカウントされた後輪（１１）（図１参照）の回転数に基づいて設定される。コントローラ（１００）は、図１０に示す（ステップＳ２０６）の処理において、第１旋回動作モードの実行を開始すると、これに伴い、後輪（１１）の回転数のカウントを開始し、後輪（１１）の回転数が所定のカウント値になったか否かを判定する。
【０１２７】
コントローラ（１００）は、後輪（１１）の回転数が所定のカウント値になった場合、モード終了位置（Ｐ５）に到達したと判断して第１旋回動作モードの実行を終了するとともに２回目の第２旋回動作モードを実行する。コントローラ（１００）は、後輪（１１）の回転数が所定のカウント値でない場合、所定のカウント値になるまでかかる処理を繰り返す。
【０１２８】
以上説明した第２実施形態によれば、苗移植機１の旋回開始時には第１旋回動作モードを実行し、旋回終了時には第２旋回動作モードを実行することで、より簡素な制御で自動旋回を行うことができる。
【０１２９】
また、１回目の第２旋回動作モードの終了後である旋回途中の機体直進時に第１旋回動作モードを実行するため、第１旋回動作モードにおける後輪（１１）のスリップによる走行誤差を減らすことができ、旋回行程の全体として、自動旋回を正確に行うことができる。
【０１３０】
また、第１旋回動作モードの開始に伴い後輪（１１）の回転数のカウントを開始し、後輪（１１）の回転数が所定のカウント値になると２回目の第２旋回動作モードに移行するため、自動旋回中に位置情報を用いる制御が一部でよくなり、簡素な制御で自動旋回を行うことができる。
【０１３１】
また、苗移植機（１）の現在位置から旋回開始位置（Ｐ１）まで距離が短い場合には自動旋回スイッチ（４８）が「ＯＮ」操作されると第１旋回動作モードを実行する。一方、苗移植機（１）の現在位置から旋回開始位置（Ｐ１）まで距離が長い場合には自動旋回スイッチ（４８）が操作されても第１旋回動作モードを実行しない。このように、たとえば、圃場の中央付近などの旋回開始位置（Ｐ１）以外で自動旋回スイッチ（４８）が操作（すなわち、誤操作）されても第１旋回動作モードを実行しないことで、誤操作を防止することができる。
【０１３２】
また、旋回終了位置（Ｐ２）に向けた２回目の第２旋回動作モードが終了するとそのまま自動直進モードに移行して自動直進を開始するため、作業を継続的に行うことができ、作業性を向上させることができる。
【０１３３】
なお、第２実施形態では、第２旋回動作モードを実行してから第１旋回動作モードを実行し、再度第２旋回動作モードを実行するが、変形例として、たとえば、第１旋回動作モードを実行してから第２旋回動作モードを実行し、再度第１旋回動作モードを実行して旋回終了位置（Ｐ２）に到達させてもよい。
【０１３４】
また、第１旋回動作モードおよび第２旋回動作モードをそれぞれ２回以上実行する自動旋回モードとしてもよい。
【０１３５】
＜第３実施形態に係る自動旋回モード＞
次に、図１１および図１２を参照して第３実施形態に係る自動旋回モードについて説明する。図１１は、第３実施形態に係る自動旋回制御（自動旋回モード）の説明図である。図１２は、第３実施形態に係る自動旋回制御（自動旋回モード）の処理手順を示すフローチャートである。
【０１３６】
図１１に示すように、第３実施形態は、苗移植機（１）が、畦まで前進し、所定の距離後進してから旋回する、いわゆるドン付きバック旋回の場合における自動旋回モードである。
【０１３７】
第３実施形態に係る自動旋回モードでは、自動直進モードで畦際まで進行した苗移植機（１）は、操縦者により変速操作レバー（ＨＳＴレバーという）（３６）（図３参照）が後進側に操作されると、次の条における作業ライン（旋回走行経路（Ｌ２）および次の条の直進走行経路（Ｌ１））を取得し、後進動作を含む自動旋回を開始する。
【０１３８】
自動旋回を開始すると、苗移植機（１）は、所定の距離後進した後、第２旋回動作モード（１回目）による進行を開始し、旋回走行経路（Ｌ２）に沿って進行する。苗移植機（１）は、旋回走行経路（Ｌ２）上の終了位置（モード終了位置）（Ｐ６）で１回目の第２旋回動作モードによる進行を終了する。
【０１３９】
苗移植機（１）は、１回目の第２旋回動作モードによる進行を終了すると、第１旋回動作モードによる進行を開始する。苗移植機（１）は、旋回走行経路（Ｌ２）上のモード終了位置（Ｐ７）で第１旋回動作モードによる進行を終了する。苗移植機（１）は、第１旋回動作モードによる進行を終了すると、再度第２旋回動作モード（２回目）による進行を開始する。
【０１４０】
２回目の第２旋回動作モードでは、苗移植機（１）は、予め設定された所望の旋回終了位置（Ｐ２）において次の条の直進走行経路（Ｌ１）に沿うように徐々に位置を補正しながら進行（直進）し、２回目の第２旋回動作モードによる進行を終了すると、自動直進モードで次の条における進行を開始する。
【０１４１】
図１２に示すように、第３実施形態では、コントローラ（１００）は、ＨＳＴレバー（３６）が「後進」側に操作されたか否かを判定する（ステップＳ３０１）。コントローラ（１００）は、ＨＳＴレバー（３６）が「後進」側に操作された場合（ステップＳ３０１：Ｙｅｓ）、苗移植機（１）の後進を開始する（ステップＳ３０２）。
【０１４２】
コントローラ（１００）は、苗移植機（１）が旋回開始位置（Ｐ１）に到達したか否かを判定する（ステップＳ３０３）。コントローラ（１００）は、旋回開始位置（Ｐ１）に到達したと判定すると（ステップＳ３０３：Ｙｅｓ）、苗移植機（１）の後進を終了し（ステップＳ３０４）、第２旋回動作モード（１回目）の実行を開始する（ステップＳ３０５）。
【０１４３】
コントローラ（１００）は、（ステップ３０１）の処理においてＨＳＴレバー（３６）が「後進」側に操作されない場合（ステップＳ３０１：Ｎｏ）、「後進」側に操作されるまでかかる処理を繰り返す。また、コントローラ（１００）は、（ステップ３０３）の処理において苗移植機（１）が旋回開始位置（Ｐ１）に到達していない場合（ステップＳ３０３：Ｎｏ）、旋回開始位置（Ｐ１）に到達するまでかかる処理を繰り返す。
【０１４４】
次いで、コントローラ（１００）は、苗移植機（１）が１回目の第２旋回動作モードの終了位置（モード終了位置）（Ｐ６）に到達したか否かを判定する（ステップＳ３０６）。コントローラ（１００）は、モード終了位置（Ｐ６）に到達した場合（ステップＳ３０６：Ｙｅｓ）、１回目の第２旋回動作モードの実行を終了し（ステップＳ３０７）、第１旋回動作モードの実行を開始する（ステップＳ３０８）。
【０１４５】
コントローラ（１００）は、（ステップ３０６）の処理において苗移植機（１）がモード終了位置（Ｐ５）に到達しない場合（ステップＳ３０６：Ｎｏ）、モード終了位置（Ｐ６）に到達するまでかかる処理を繰り返す。
【０１４６】
次いで、コントローラ（１００）は、苗移植機（１）が第１旋回動作モードの終了位置（モード終了位置）（Ｐ７）に到達したか否かを判定する（ステップＳ３０９）。コントローラ（１００）は、モード終了位置（Ｐ７）に到達した場合（ステップＳ３０９：Ｙｅｓ）、第１旋回動作モードの実行を終了し（ステップＳ３１０）、第２旋回動作モード（２回目）の実行を開始する（ステップＳ３１１）。
【０１４７】
コントローラ（１００）は、ステップ３０９の処理において苗移植機（１）がモード終了位置（Ｐ７）に到達しない場合（ステップＳ３０９：Ｎｏ）、モード終了位置（Ｐ７）に到達するまでかかる処理を繰り返す。
【０１４８】
次いで、コントローラ（１００）は、苗移植機（１）が２回目の第２旋回動作モードの終了位置でもある旋回終了位置（Ｐ２）に到達したか否かを判定する（ステップＳ３１２）。コントローラ（１００）は、旋回終了位置（Ｐ２）に到達した場合（ステップＳ３１２：Ｙｅｓ）、２回目の第２旋回動作モードの実行を終了し（ステップＳ３１３）、旋回動作モードを終了する。
【０１４９】
コントローラ（１００）は、（ステップＳ３１２）の処理において苗移植機（１）が旋回終了位置（Ｐ２）に到達しない場合（ステップＳ３１２：Ｎｏ）、旋回終了位置（Ｐ２）に到達するまでかかる処理を繰り返す。コントローラ（１００）は、旋回動作モードを終了すると、自動直進モードの実行を開始する。
【０１５０】
ここで、コントローラ（１００）は、第１旋回動作モードから２回目の第２旋回動作モードに移行する場合、機体の向きが次の条の直進走行経路（Ｌ１）に対して、たとえば０〜２０度範囲内に入るようステアリングモータ（９５）を制御する。コントローラ（１００）は、２回目の第２旋回動作モードの開始時に機体の向きを０〜２０度範囲内に入れておくことで、２回目の第２旋回動作モードにおいて位置取得装置（１５０）（図３参照）が取得する位置情報に基づいて直進走行経路（Ｌ１）に沿うよう機体の向きを補正して旋回動作を完了する。
【０１５１】
また、第３実施形態においても、第１および第２実施形態と同様、第１旋回動作モードの終了位置（Ｐ７）は、回転数センサ（９０）（図３参照）によりカウントされた後輪（１１）（図１参照）の回転数に基づいて設定される。コントローラ（１００）は、図１２に示す（ステップＳ３０８）の処理において、第１旋回動作モードの実行を開始すると、これに伴い、後輪（１１）の回転数のカウントを開始し、後輪（１１）の回転数が所定のカウント値になったか否かを判定する。
【０１５２】
コントローラ（１００）は、後輪（１１）の回転数が所定のカウント値になった場合、モード終了位置（Ｐ７）に到達したと判断して第１旋回動作モードの実行を終了するとともに２回目の第２旋回動作モードを実行する。コントローラ（１００）は、後輪（１１）の回転数が所定のカウント値でない場合、所定のカウント値になるまでかかる処理を繰り返す。
【０１５３】
なお、コントローラ（１００）は、旋回動作初期の後進走行においても、走行車輪である後輪（１１）の回転数に基づいて旋回開始位置（Ｐ１）に到達したか否かを判定する。
【０１５４】
以上説明した第３実施形態によれば、第１および第２実施形態と同様、苗移植機（１）の旋回開始時には第１旋回動作モードを実行し、旋回終了時には第２旋回動作モードを実行することで、より簡素な制御で自動旋回を行うことができる。
【０１５５】
また、１回目の第２旋回動作モードの終了後である旋回途中の機体直進時に第１旋回動作モードを実行するため、第１旋回動作モードにおける後輪（１１）のスリップによる走行誤差を減らすことができ、旋回行程の全体として、自動旋回を正確に行うことができる。
【０１５６】
また、第１旋回動作モードの開始に伴い後輪（１１）の回転数のカウントを開始し、後輪（１１）の回転数が所定のカウント値になると２回目の第２旋回動作モードに移行するため、自動旋回中に位置情報を用いる制御が一部でよくなり、簡素な制御で自動旋回を行うことができる。
【０１５７】
また、旋回終了位置（Ｐ２）に向けた２回目の第２旋回動作モードが終了するとそのまま自動直進モードに移行して自動直進を開始するため、作業を継続的に行うことができ、作業性を向上させることができる。
【０１５８】
なお、第３実施形態においても、変形例として、たとえば、第１旋回動作モードを実行してから第２旋回動作モードを実行し、再度第１旋回動作モードを実行して旋回終了位置（Ｐ２）に到達させてもよい。
【０１５９】
また、第１旋回動作モードおよび第２旋回動作モードをそれぞれ２回以上実行する自動旋回モードとしてもよい。
【０１６０】
なお、第１〜第３実施形態において、コントローラ（１００）は、自動旋回モードでは、苗移植機１の走行速度に上限値を設定して車速を制限することが好ましい。これにより、旋回動作が安定して安全性を確保することができる。また、コントローラ（１００）は、位置取得装置（１５０）からの位置情報に基づいて旋回終了と判断すると、車速の制限を解除して変速操作レバー（ＨＳＴレバー）（３６）の位置に応じた車速とする。
【０１６１】
また、第１〜第３実施形態において、コントローラ（１００）は、後輪（１１）の回転数を変更可能に設定する。また、コントローラ（１００）は、自動直進モードまたは自動旋回モードの実行中に操縦者によりアシストレバーが「上げ」操作された場合には、それぞれのモードを解除する。
【０１６２】
また、第１〜第３実施形態において、コントローラ（１００）は、自動旋回モードの実行中において操縦者によりＺターンを「ＯＦＦ」にするよう操作された場合には、自動旋回モードを解除する。また、コントローラ（１００）は、自動旋回モードの実行中において操縦者により線引きマーカ自動昇降スイッチ（４９）（図３参照）が「ＯＦＦ」操作された場合には、自動旋回モードを解除する。
【０１６３】
また、第１〜第３実施形態において、コントローラ（１００）は、自動旋回モードの実行中において操縦者によりＨＳＴレバー（変速操作レバー）（３６）（図３参照）が「後進」側に操作された場合には、自動旋回モードを解除する。また、コントローラ（１００）は、自動旋回モードの実行中において操縦者によりハンドル（３５）（図３参照）が操作された場合には、自動旋回モードを解除する。
【０１６４】
また、第１〜第３実施形態において、コントローラ（１００）は、自動旋回モードの実行中において苗移植機（１）が停止したりエンジン（３０）（図１参照）が停止した場合には、自動旋回モードを一時中断（保留）する。また、コントローラ（１００）は、自動旋回モードの実行中において苗移植機（１）が停止したりエンジン（３０）が停止した場合に自動旋回モードを中止するよう制御してもよい。
【０１６５】
また、第１〜第３実施形態において、コントローラ（１００）は、畦際警報解除スイッチが押されると、畦際警報作動時に畦際停止を解除する。また、コントローラ（１００）は、自動旋回が可能か否かをモニタ（８６）（図３参照）に表示させてもよい。なお、コントローラ（１００）は、自動旋回が不可能な場合には、たとえば、モニタ（８６）にアラートを表示させてもよい。
【０１６６】
また、第３実施形態において、コントローラ（１００）は、苗移植機（１）が後進中に停車しても、自動旋回モードを中止しない。これにより、たとえば、苗つなぎなどのアクシデントにより後進時に停車しても、自動旋回を継続することができる。
【０１６７】
また、第１〜第３実施形態において、自動旋回モード（第３実施形態においては、自動旋回モードのうち後進動作を除いた動作）を、第１旋回動作モードのみで完了するよう構成してもよいし、第２旋回動作モードのみで完了するよう構成してもよい。
【０１６８】
また、第１〜第３実施形態において、自動旋回の開始は、苗植付部（４）を昇降させる昇降動作の「上げ動作」が行われるタイミングであってもよい。すなわち、自動旋回スイッチ（４８）は、操縦者の操作によって苗植付部（４）を上昇させるスイッチであってもよく、苗植付部（４）の上昇を検知、または苗植付部（４）を上昇させる制御の開始を検知する検知部であってもよい。
【０１６９】
また、自動旋回の開始は、苗植付装置（５５）への動力伝達が「切り」になるタイミングや、施肥装置（５）の繰出装置（７１）が停止するタイミングや、整地ロータ（６３）への動力伝達が「切り」になるタイミングであってもよい。
【０１７０】
このように、自動旋回を開始するタイミングは、苗植付部（４）などの圃場作業装置の駆動が「切り」になるタイミングであればよい。
【０１７１】
また、作業車両（１）は、トラクターであってもよい。この場合、圃場作業装置は、ロータリなどである。トラクターの旋回においても、上記旋回制御を適用することができる。
【０１７２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１７３】
１    苗移植機（作業車両）
２    走行車体
１０    前輪（走行車輪）
３５    ハンドル（ステアリング装置）
４８    自動旋回スイッチ（旋回開始操作部）
９０    回転数センサ（検出装置）
９５    ステアリングモータ（モータ）
１００    コントローラ（制御装置）
１５０    位置取得装置
Ｌ１    直進走行経路
Ｌ２    旋回走行経路
Ｐ１    旋回開始位置
Ｐ２    旋回終了位置